(57)【要約】  ＭＭＴにて送信されるコンテンツを再生するための制御情報を生成する送信機（１）であって、上記コンテンツの映像の画質に関する画質情報を取得する解像度情報取得部（１７）および解像度エンコード制御部（１８）と、上記画質情報を含むＭＭＴパッケージテーブルを生成する制御情報生成部（１９）と、を備えている送信機。
2016031912.tif 000002
【特許請求の範囲】
【請求項１】
ＭＭＴにて送信されるコンテンツを再生するための制御情報を生成する制御情報生成装置であって、
上記コンテンツの映像の画質に関する画質情報を取得する画質情報取得部と、
上記画質情報を含むＭＭＴパッケージテーブルを生成する制御情報生成部と、
を備えていることを特徴とする制御情報生成装置。
【請求項２】
上記画質情報には、オリジナル画像の解像度、オリジナル画像に施されたスケーリング処理の方式、圧縮方式、ビットレート、およびファイル形式の少なくとも何れかを示す情報が含まれている
ことを特徴とする請求項１に記載の制御情報生成装置。
【請求項３】
請求項１または２に記載の制御情報生成装置と、
上記制御情報生成装置が生成したＭＭＴパッケージテーブルを上記コンテンツと共にデジタル放送信号として送信する送信部と、
を備えていることを特徴とする送信装置。
【請求項４】
ＭＭＴにて送信されるコンテンツを受信する受信装置であって、
上記コンテンツの映像の画質に関する画質情報を含むＭＭＴパッケージテーブルを取得する制御情報取得部と、
上記コンテンツの映像の画質を上記画質情報に応じて調整する画質調整部と、
を備えていることを特徴とする受信装置。
【請求項５】
上記画質情報には、オリジナル画像の解像度、オリジナル画像に施されたスケーリング処理の方式、圧縮方式、ビットレート、およびファイル形式の少なくとも何れかを示す情報が含まれている
ことを特徴とする請求項４に記載の受信装置。
【請求項６】
上記画質調整部は、ノイズリダクション、エンハンス、および、超解像度処理の少なくとも何れかを含む画像処理を、上記画質情報に応じた強度により実行する
ことを特徴とする請求項４または５に記載の受信装置。
【請求項７】
請求項４から６の何れか一項に記載の受信装置を含んでいることを特徴とするテレビジョン受像機。
【請求項８】
ＭＭＴにてコンテンツを送信する送信装置と該コンテンツを受信する受信装置とを含む映像信号伝送システムであって、
上記送信装置は、上記コンテンツの映像の画質に関する画質情報を含むＭＭＴパッケージテーブルを上記コンテンツと共にデジタル放送信号として上記受信装置に送信し、
上記受信装置は、上記デジタル放送信号から上記ＭＭＴパッケージテーブルを取得し、上記コンテンツの映像の画質を上記画質情報に応じて調整する
ことを特徴とする映像信号伝送システム。
【請求項９】
請求項１または２に記載の制御情報生成装置としてコンピュータを機能させるための制御プログラムであって、コンピュータを上記各部として機能させるための制御プログラム。
【請求項１０】
請求項４から６の何れか一項に記載の受信装置としてコンピュータを機能させるための制御プログラムであって、コンピュータを上記各部として機能させるための制御プログラム。
【請求項１１】
請求項９または１０に記載の制御プログラムを記録したコンピュータ読み取り可能な記録媒体。
【発明の詳細な説明】
【技術分野】
【０００１】
本発明は、映像の画質の調整に関し、より詳細には映像の画質の調整に用いる情報を生成する制御情報生成装置等に関する。
【背景技術】
【０００２】
昨今、放送の高度化の一環として、従来よりも高い解像度を再現することのできる映像信号が提案されている。４Ｋ、８Ｋに対応したテレビでは、それぞれ、従来の４倍、１６倍の解像度により映像を表示することが可能になっている。２０１４年６月には、この規格を採用した４Ｋ試験放送が開始されており、今後も４Ｋ／８Ｋの放送を中心に採用される見込みである。
【先行技術文献】
【特許文献】
【０００３】
【特許文献１】日本国特許公報「特許第４５５７８７８号公報（２００７年６月２１日公開）」
【発明の概要】
【発明が解決しようとする課題】
【０００４】
４Ｋ映像、８Ｋ映像には、オリジナル映像に対して何らのスケーリング処理（拡大処理）を行うことなく、４Ｋ、８Ｋの解像度を有する映像がある一方で、フルＨＤのオリジナル映像を４Ｋにアップコン（アップコンバート；低い解像度のデータを高解像度化すること）した映像もある。また、４Ｋのオリジナル映像を８Ｋにアップコンした映像もある。【０００５】
このように、オリジナル映像の解像度などを含む画質は多様なので、テレビにおける画質調整では、本来のオリジナル映像の画質に合わせた処理を行うことが好ましい。しかしながら、オリジナル映像の画質が不明であることから、テレビが受信した実際の映像の画質に応じた画像処理をすることしかできなかった。その一例として、特許文献１には、ＨＤＭＩ（High Definition Multimedia Interface；登録商標）信号により実際の映像の解像度情報を受信し、当該解像度情報に応じて解像度切換を行う技術が開示されている。【０００６】
一方で、上記の問題を解決するために、画質情報を映像データ内に埋め込むことも考えられるが、この構成を採用したとしても、映像データをデコードした後でなければ画質が判明せず、映像の切り替わりなどで、画像処理の切り替えが遅れ、映像と画像処理とが整合していない期間が発生するという問題がある。【０００７】
本発明は、上記課題に鑑みてなされたものであり、その目的は、映像の画質に応じた画像処理を迅速に行うことのできる技術を提供することにある。
【課題を解決するための手段】
【０００８】
上記課題を解決するために、本発明の一態様に係る制御情報生成装置は、ＭＭＴにて送信されるコンテンツを再生するための制御情報を生成する制御情報生成装置であって、上記コンテンツの映像の画質に関する画質情報を取得する画質情報取得部と、上記画質情報を含むＭＭＴパッケージテーブルを生成する制御情報生成部と、を備えている構成である。【０００９】
また、本発明の一態様に係る受信装置は、上記の課題を解決するために、ＭＭＴにて送信されるコンテンツを受信する受信装置であって、上記コンテンツの映像の画質に関する画質情報を含むＭＭＴパッケージテーブルを取得する制御情報取得部と、上記コンテンツの映像の画質を上記画質情報に応じて調整する画質調整部と、を備えている構成である。【００１０】
そして、本発明の一態様に係る映像信号伝送システムは、上記の課題を解決するために、ＭＭＴにてコンテンツを送信する送信装置と該コンテンツを受信する受信装置とを含む映像信号伝送システムであって、上記送信装置は、上記コンテンツの映像の画質に関する画質情報を含むＭＭＴパッケージテーブルを上記コンテンツと共にデジタル放送信号として上記受信装置に送信し、上記受信装置は、上記デジタル放送信号から上記ＭＭＴパッケージテーブルを取得し、上記コンテンツの映像の画質を上記画質情報に応じて調整する構成である。
【発明の効果】
【００１１】
本発明の一態様によれば、映像の画質に応じた画像処理を迅速に行うことができるという効果を奏する。
【図面の簡単な説明】
【００１２】
【図１】本発明の実施形態１に係る映像信号伝送システムに含まれる送信機および受信機の要部構成の一例を示すブロック図である。
【図２】画質情報を含むＭＰＴの一例を示す図である。
【図３】上記受信機で実行される画質情報を取得する処理の一例を示すフローチャートである。
【図４】上記受信機で実行される、オリジナル解像度に応じて画質を調整する処理の一例を示す表である。
【図５】上記受信機で実行される、スケーリング方式に応じて画質を調整する処理の一例を示す表である。
【図６】本発明の実施形態４に係る映像信号伝送システムに含まれる送信機および受信機の要部構成の一例を示すブロック図である。
【図７】画質情報を含むＰＭＴの一例を示す図である。
【図８】上記受信機で実行される画質情報を取得する処理の一例を示すフローチャートである。
【図９】本発明の実施形態７に係る映像信号伝送システムに含まれる送信機および受信機の要部構成の一例を示すブロック図である。
【図１０】（ａ）は、画質情報を含むＥＩＴの一例を示す図であり、（ｂ）は、（ａ）に示すＥＩＴにおける画質情報を含む記述子の他の一例を示す図である。
【図１１】上記受信機で実行される画質情報を取得する処理の一例を示すフローチャートである。
【図１２】上記受信機が、画質情報を含むＥＩＴを参照して生成する電子番組表の一例を示す図である。
【図１３】本発明の実施形態１０に係る映像信号伝送システムに含まれる送信機の要部構成の一例を示すブロック図である。
【図１４】上記映像信号伝送システムに含まれる受信機の要部構成の一例を示すブロック図である。
【図１５】放送信号と共に送信されるＡＩＴと該ＡＩＴに従ったアプリの起動例を示す図である。
【図１６】タイミング指定情報と、該タイミング指定情報に応じた画質の変化の例を示す図である。
【図１７】上記受信機で実行される画質情報を取得する処理の一例を示すフローチャートである。
【図１８】ユーザ操作による画質調整を受け付ける場合に上記受信機で実行される処理の一例を示すフローチャートである。
【図１９】本発明の実施形態１１に係る映像信号伝送システムの概略構成を示す図である。
【図２０】上記映像信号伝送システムに含まれる受信機および端末装置の要部構成の一例を示すブロック図である。
【発明を実施するための形態】
【００１３】
以下、本発明の実施形態１について、図１〜図５を参照して詳細に説明する。ただし、この実施形態に記載されている構成は、特に特定的な記載がない限り、この発明の範囲をそれのみに限定する趣旨ではなく、単なる説明例に過ぎない。
【００１４】
まず、本実施形態に係る映像信号伝送システムの構成を図１に基づいて説明する。図１は、映像信号伝送システム５に含まれる送信機（制御情報生成装置、送信装置）１および受信機（受信装置）２の要部構成の一例を示すブロック図である。
【００１５】
映像信号伝送システム５は、送信機１から受信機２に映像信号等を伝送するシステムである。映像信号伝送システム５は、伝送する映像の画質を示す画質情報を当該映像信号と共に送信する点が主な特徴点であり、これによって、映像に応じた最適な画質調整を行うことを可能にしている。なお、次世代の４Ｋ／８Ｋ放送では、ＭＭＴ（MPEG Media Transport）フォーマットで信号が送信されることが検討されている。そこで、本実施形態では、ＭＭＴフォーマットにて映像信号を伝送する例を説明する。
【００１６】
送信機１は、映像信号等の形態でコンテンツを送信する。より詳細には、送信機１は、放送経路（放送伝送路）にてコンテンツを構成する各パケット（ＭＭＴＰパケット：MMT Protocol パケット）を送信する。一方の受信機２は、このコンテンツ（放送経路で配信されるコンテンツ）の受信機能を備えていると共に、例えばインターネット等の通信網を介して通信経路で配信されるコンテンツの受信機能も備えている。そして、受信機２は、これら２つの経路を介して受信した各コンテンツを組み合わせて再生することができる。なお、同図では、受信機２を１つのみ記載しているが、送信機１は複数の受信機２に対してコンテンツをブロードキャストする。
【００１７】
〔送信機の構成〕
送信機１は、図示のように、オーディオエンコーダ１０、解像度変換部１１、ビデオエンコーダ１２、多重化部１３、暗号化部１４、送信部１５、および制御部１６を備えている。また、制御部１６には、解像度情報取得部（画質情報取得部）１７、解像度エンコード制御部１８（画質情報取得部）、および制御情報生成部１９が含まれている。
【００１８】
オーディオエンコーダ１０は、送信機１が送信するコンテンツのオーディオ（音声）ストリームをエンコード（符号化）して多重化部１３に出力する。同様に、ビデオエンコーダ１２は、送信機１が送信するコンテンツのビデオ（映像）ストリームをエンコード（符号化）して多重化部１３に出力する。
【００１９】
解像度変換部１１は、オリジナルの画像から放送波に乗せられる４Ｋまたは８Ｋの画像への、解像度の変換処理を行い、変換した画像をビデオエンコーダ１２に出力する。当該変換処理は、スケーリング処理（拡大処理）と呼ばれ、オリジナル画像の解像度（オリジナル解像度とも呼ぶ）およびオリジナル画像に施されたスケーリング処理の方式（単に、スケーリング方式とも呼ぶ）に応じて異なる処理が行われる。なお、解像度の変換処理は、必ずしも送信機１が行うことに限定されることはなく、例えば、別体のサーバが行って、スケーリング処理が施された画像を送信機１に出力してもよい。
【００２０】
多重化部１３は、オーディオエンコーダ１０が出力したオーディオストリーム、ビデオエンコーダ１２が出力したビデオストリーム、および制御部１６が出力した制御情報を多重化し、その多重化ストリーム（ＭＭＴ信号）を暗号化部１４に出力する。
【００２１】
暗号化部１４は、多重化部１３が出力する多重化ストリームを暗号化して送信部１５に出力する。そして、送信部１５は、暗号化部１４が出力する暗号化されたデータをパケットとして、デジタル放送信号の形態で放送経路にて受信機２に送信する。
【００２２】
制御部１６は、送信機１の備える各部の制御等を行う。具体的には、制御部１６に含まれる解像度情報取得部１７は、送信機１が送信する画像の解像度に関する情報であり、オリジナル解像度を含む解像度情報を取得し、取得した解像度情報を制御情報生成部１９に出力する。解像度情報の取得方法は特に限定されないが、例えば、撮影に使用したカメラの機種等から、その撮影で得られた画像の解像度は決まるから、撮影に使ったカメラの情報から解像度情報を取得してもよい。また、映像処理を施した機材の情報から解像度情報を取得したり、編集の時点で映像解析を行って解像度情報を抽出したりする構成としてもよい。なお、解像度情報の詳細は後述する。
【００２３】
解像度エンコード制御部１８は、解像度変換部１１を制御して解像度変換を行わせて、スケーリング方式を示す情報を取得し、オーディオエンコーダ１０およびビデオエンコーダ１２を制御してエンコードを行わせる。また、解像度エンコード制御部１８は、オリジナル画像のビットレート、圧縮方式、およびファイル形式を示す情報を取得する。
【００２４】
制御情報生成部１９は、送信機１が送信するコンテンツを再生するための制御情報を生成する。この制御情報は、ＭＭＴではＭＭＴ−ＳＩと呼ばれるものであり、コンテンツに関する種々の情報が含まれるが、ここでは、ＭＭＴ−ＳＩのうち、コンテンツのパッケージに関する情報が記述されたＭＰＴ（MMT Package Table、ＭＭＴパッケージテーブル）の生成に絞って説明する。
【００２５】
送信機１では、解像度情報取得部１７が画質情報としてオリジナル解像度を含む解像度情報を取得する処理を実行する。次に、解像度エンコード制御部１８が画質情報としてスケーリング方式、動画圧縮方式、ビットレート、およびファイル形式を取得する処理を実行する。そして、制御情報生成部１９が上記の画質情報を含む制御情報（ＭＰＴ）を生成する処理を実行する。したがって、このＭＰＴを受信した受信機２において、該ＭＰＴと共に受信したコンテンツをその画質情報に応じた適切な画質調整を行って（あるいは画質調整を行わずに）表示させることが可能になる。
【００２６】
なお、解像度情報取得部１７および解像度エンコード制御部１８は、送信機１が送信するコンテンツが切り替わった場合、切り替え後のコンテンツの画質情報を取得し、制御情報生成部１９はこの画質情報を含むＭＰＴを生成する。このように、コンテンツの変化に追従して、異なる画質情報を含むＭＰＴを生成することにより、常に最適な画質調整によってコンテンツを再生させることが可能になる。
【００２７】
〔受信機の構成〕
受信機２は、図示のように、チューナ２０、通信Ｉ／Ｆ２１、復号部２２、逆多重化部２３、オーディオデコーダ２４、ビデオデコーダ２５、画質調整部２６、表示制御部２７、ディスプレイ２８、および制御部２９を備えている。また、制御部２９には、復号制御部３０、逆多重化制御部３１、および制御情報取得部３２が含まれている。
【００２８】
チューナ２０は、放送経路にてデジタル放送信号として送信されるコンテンツ等を受信して復号部２２に出力する。一方、通信Ｉ／Ｆ２１は、通信経路にて送信されるコンテンツ等を受信して復号部２２に出力する。
【００２９】
復号部２２は、チューナ２０および通信Ｉ／Ｆ２１を介して受信したコンテンツが暗号化されていた場合、これを復号して逆多重化部２３に出力する。
【００３０】
逆多重化部２３は、復号部２２が出力するデータ（暗号は復号されているが多重化されているＭＭＴ信号）を逆多重化する。そして、逆多重化によって得られた当該コンテンツの各構成要素（コンポーネント）を、当該コンポーネントの種別に応じて処理する。具体的には、逆多重化部２３は、オーディオのコンポーネントはオーディオデコーダ２４に出力し、ビデオのコンポーネントはビデオデコーダ２５に出力し、制御情報は制御情報取得部３２に出力する。
【００３１】
オーディオデコーダ２４は、逆多重化部２３が出力するオーディオコンポーネントを復号してオーディオデータを出力する。同様に、ビデオデコーダ２５は、逆多重化部２３が出力するビデオコンポーネントを復号してビデオデータを出力する。
【００３２】
画質調整部２６は、画質情報をもとに、画像処理の強度について決定し、決定した強度による画像処理を実行することにより、ビデオデコーダ２５が出力したビデオデータの画質を調整する。この画質調整により、ビデオデコーダ２５が出力したビデオデータが高画質になって、ディスプレイ２８に表示される。なお、画質調整部２６は、制御部２９内に設けられていてもよい。画質を調整するための画像処理の具体例については、後述する。
【００３３】
表示制御部２７は、ビデオデータをディスプレイ２８に表示させる制御を行う。また、ディスプレイ２８は、表示制御部２７の制御に従ってビデオデータを表示する。つまり、受信機２は、放送されるコンテンツの受信機能および再生（表示）機能を備えたテレビジョン受像機である。なお、ディスプレイ２８は、受信機２に外付けされた外部の装置であってもよい。
【００３４】
制御部２９は、受信した制御情報に従って受信機２の備える各部を制御する。具体的には、復号制御部３０は、復号部２２を制御してコンテンツの復号を行わせる。また、逆多重化制御部３１は、逆多重化部２３を制御してコンテンツの逆多重化を行わせる。そして、制御情報取得部３２は、逆多重化部２３が逆多重化することによって出力された制御情報を取得し、制御情報に画質情報が含まれる場合には、この情報を画質調整部２６に出力する。
【００３５】
上記によれば、制御情報のＭＰＴにオリジナル解像度を含む画質情報を含めることにより、制御情報解析用のプログラムを変更するだけで画質情報を取り出すことが可能になる。なお、ビデオデコーダ２５の動作は、従来通りである。従って、ビデオをデコードする前に画質情報を取得できるので、画質調整部２６が参照する変換テーブルなどを事前に準備し、映像の画質が変化した時に適切なタイミングで変換テーブルなどを切り替えることができる。
【００３６】
〔画質情報を含むＭＰＴの例〕
続いて、画質情報を含むＭＰＴの例を図２に基づいて説明する。図２は、画質情報を含むＭＰＴの一例を示す図である。図示のＭＰＴには、当該ＭＰＴのバージョンを示す記述子Ｄ１（version）と、ＭＭＴのパッケージＩＤを示す記述子Ｄ２（MMT_package_id_byte）とが含まれていると共に、画質情報を含む記述子Ｄ３（MPT_descriptors_byte）が含まれている。
【００３７】
そして、記述子Ｄ３内には、当該記述子（descriptor）が画質情報に関する記述子であることを示す予め定めたタグdescriptor_tag、当該記述子の長さを示すdescriptor_length、および画質情報のデータ本体であるdata()が記述されている。なお、descriptor_tagの値は、記述子Ｄ３に画質情報に関する記述が含まれていることが特定できればよく、例えばデジタル放送における標準規格を定めたARIB STD-B21において、他の記述子を示すものとして使用されていない「0xF0」の値を用いてもよい。
【００３８】
ここで、一般にテレビ放送では、ソースが異なる映像が連続して送信され、このような異なるソースの映像は画質がそれぞれ異なっている可能性がある。そこで、このようなケースに対応するため、制御情報生成部１９は、ソースが変化するときには、ＭＰＴ内の画質情報を更新するとともに、ＭＰＴのバージョン情報（記述子Ｄ１の値）も併せて更新する。そして、受信機２では、制御情報取得部３２が、ＭＰＴのバージョンが更新されるたびに画質情報をチェックし、更新があれば画質調整部２６に新しい画質情報を伝達する。これにより、映像の変化に応じた適切な画質の調整が可能となる。
【００３９】
図２のＭＰＴでは、data()として、受信した（再生対象の）コンテンツの映像のオリジナル解像度（１９２０×１０８０）、スケーリング方式（バイキュービック法）、動画圧縮方式（ＭＰＥＧ２）、ビットレート（１０Ｍｂｐｓ）、およびファイル形式（ｍｐｇ）が格納されている。しかしながら、data()に記述する画質情報は、受信したコンテンツの画質に関する情報であって、画質調整のための画像処理の態様の決定に用いることができるものであればよく、この例に限られない。
【００４０】
なお、ＭＰＴには、コンポーネント記述子の１つであり、映像の解像度およびアスペクト比を示すコードであるcomponent_type（コンポーネント種別）が含まれ得る。例えば、０ｘ０３は、有効垂直解像度（有効走査線）が４８０本であり、総走査線が５２５本であり、アスペクト比が１６：９であることを示す。また、０ｘＢ３は、有効垂直解像度が１０８０本であり、総走査線が１１２５本であり、アスペクト比が１６：９であることを示す。ただし、この解像度は、受信機２が入力する映像の解像度であり、送信機１におけるオリジナル映像の解像度ではない。
【００４１】
〔画質情報の取得処理〕
次に、画質情報の取得について図３に基づいて説明する。図３は、受信機２で実行される画質情報を取得する処理の一例を示すフローチャートである。まず、制御情報取得部３２は、逆多重化部２３が出力する信号からＭＰＴを抽出して、抽出したＭＰＴからさらにdescriptor（記述子）を抽出する（Ｓ１）。
【００４２】
次に、制御情報取得部３２は、抽出した記述子が画質情報の記述子であるか否かを判定する（Ｓ２）。具体的には、制御情報取得部３２は、抽出した記述子のdescriptor_tagの値が、画質情報に予め割り当てられたタグの値と一致する場合には、当該記述子が画質情報の記述子であると判定する。
【００４３】
ここで、画質情報の記述子ではないと判定した場合（Ｓ２でＮＯ）、制御情報取得部３２は、上記ＭＰＴに次の記述子が含まれているか否かを判定する（Ｓ３）。そして、制御情報取得部３２は、含まれていると判定した場合（Ｓ３でＹＥＳ）、Ｓ１の処理に戻って次の記述子を抽出し、含まれていないと判定した場合（Ｓ３でＮＯ）、処理を終了する。
【００４４】
一方、Ｓ２において、Ｓ１で抽出した記述子が画質情報の記述子であると判定した場合（Ｓ２でＹＥＳ）、制御情報取得部３２は、当該記述子を解析して、これに含まれる画質情報を抽出する。そして、抽出した画質情報を画質調整部２６に送信して（Ｓ４）、処理を終了する。
【００４５】
〔画質情報に応じた画質調整の概要〕
受信機２の画質調整部２６は、オリジナル解像度、スケーリング方式、動画圧縮方式、ビットレート、およびファイル形式を含む画質情報から入力映像の画質を推定し、その推定した画質から、画像処理の最適化を図る。すなわち、高画質用、低画質用などの画像処理パラメータ設定値の組合せを事前に用意しておき、入力画像を高画質に調整する方法として、入力映像の画質に応じて、画像処理パラメータ設定値の組合せを切り替えて、画像処理を実行する。
【００４６】
〔オリジナル解像度に応じた画質調整〕
続いて、オリジナル解像度に応じた画質調整について図４に基づいて説明する。図４は、受信機２で実行される、オリジナル解像度に応じて画質を調整する処理の一例を示す表である。画質調整部２６は、ビデオデコーダ２５の出力するビデオデータに対して、ノイズリダクション、エンハンス、および超解像度処理の少なくとも何れかの処理を施す。ここで、各処理に用いられる各画像処理パラメータの大きさは、制御情報取得部３２から受信した画質情報に含まれるオリジナル解像度に応じて、画質調整部２６が決定する。ここで、各画像処理の強度は、各画像処理パラメータの大きさによって定まる。したがって、画質調整部２６は、画質情報に含まれるオリジナル解像度に応じて、各画像処理の強度を決定するものであると言うこともできる。
【００４７】
図４において、オリジナル解像度は、オリジナル映像の解像度であり、８Ｋ以下の解像度が掲載されている。詳細には、７２０×４８０はＳＤの解像度、１２８０×７２０はＨＤ（７２０ｐ）の解像度、１９２０×１０８０は２ＫおよびＨＤ（１０８０ｐ）の解像度、３８４０×２１６０は４Ｋの解像度、７６８０×４３２０は８Ｋの解像度である。また、入力解像度は、受信機２に入力される映像の解像度であり、図４には、８Ｋの解像度（７６８０×４３２０）が掲載されている。なお、入力解像度は、８Ｋに限ることなく、受信機２に入力される映像の解像度により決定される。
【００４８】
これによれば、画質調整部２６は、オリジナル映像の解像度から入力解像度に拡大された画像をビデオデコーダ２５から取得し、当該画像の画質を調整するための画像処理を実行し、高画質に調整された画像を表示制御部２７に出力する。この場合、オリジナル解像度が低く、拡大率が高いときには、画像処理の強度を強くする。一方、オリジナル解像度が高く、拡大率が低いときには、画像処理の強度を弱くする。
【００４９】
以下に、画質調整部２６が実行する各画像処理について説明する。
（１）ノイズリダクションは、周辺画素との平滑化によりノイズの低減を行う画像処理である。まず、周辺の画素間のピクセル値（色の種類、明るさ）の差分を算出し、次に、その変化がなだらかになるように、各画素のピクセル値を補正する処理が行われる。すなわち、ピクセル値の差分の大小に応じて平滑化の効果が調整される。図４に示すように、画質調整部２６は、オリジナル解像度が低く、画像の拡大率が高い場合には、強度（平滑化の効果）を強くして、ノイズリダクションを実行する。これは、オリジナル解像度が低い分だけ、画像を拡大したときの粗さがより顕著になるので、高画質にするために、ノイズリダクションの強度を強めるものである。
（２）エンハンスは、エッジ強調処理を施すことにより映像を鮮明にする画像処理である。まず、隣接する画素間のピクセル値の差分をとることによりエッジ（映像の輪郭部）を検出し、次に、エッジと、その周辺との間に濃度勾配を付与する処理が行われる。濃度勾配を急峻にすれば、エッジが強調され、映像が鮮明になる。図４に示すように、画質調整部２６は、オリジナル解像度が低く、画像の拡大率が高い場合には、強度を強くして、エンハンスを実行する。これは、オリジナル解像度が低い分だけ、画像を拡大したときの輪郭のぼけ具合がより顕著になるので、高画質にするために、エンハンスの強度を強めるものである。
（３）超解像度処理は、オリジナル画像のスケーリング処理によって失われた画素パターンを類推して作り出す画像処理のことを指す。超解像度処理の例として、再構成型、学習型などが挙げられる。
【００５０】
再構成型の超解像度処理では、スケーリング処理が行われた複数の画像を入力し、それぞれの画像における画素の位置から画素パターンをきめ細かく推定することにより、本来の輝度値を持つ画素を増やすように、復元画像を生成する処理が行われる。復元画像における特定の画素は、例えば、当該画素の周囲に位置する複数の画素（複数の画像に含まれる同じ位置の画素）から推定される。
【００５１】
学習型の超解像度処理では、まず、学習用の高解像度の画像を低解像度にして、それらの対応を記録することにより、事例データベースを作成し、すなわち、予め低解像度パッチ（画像の小領域）と高解像度パッチとの組み合わせを事例として蓄積しておいて、次に、入力画像に最も類似している低解像度パッチをその事例データベースから抽出し、その低解像度パッチに対応する高解像度パッチに置き換える処理が行われる。
【００５２】
図４に示すように、画質調整部２６は、オリジナル解像度が低く、画像の拡大率が高い場合には、強度を強くして、超解像度処理を実行する。これは、オリジナル解像度が低い分だけ、画像を拡大したときに失われる画素パターンが多くなるので、高画質にするために、超解像度処理の強度を強めるものである。
【００５３】
〔スケーリング方式に応じた画質調整〕
続いて、スケーリング方式に応じた画質調整について図５に基づいて説明する。図５は、受信機２で実行される、スケーリング方式に応じて画質を調整する処理の一例を示す表である。スケーリング方式は、送信機１においてオリジナル映像に施されたスケーリング処理（拡大処理）の方式である。画質調整部２６は、制御情報取得部３２から受信した画質情報に含まれるスケーリング方式に応じた強度により、ノイズリダクション、エンハンス、および、超解像度処理の各画像処理を実行する。
【００５４】
図５に示すように、スケーリング方式として、ニアレストネイバー（Nearest Neighbor）法、バイリニア（Bilinear）法、バイキュービック（Bicubic）法、およびランチョス（Lanczos）法等が用いられる。ニアレストネイバー法が最も単純なスケーリング方式であり、下方の方式ほど複雑になり、ランチョス法が最も複雑なスケーリング方式である。
【００５５】
ニアレストネイバー法は、最短距離法の一つであり、最も近い位置にある画素の輝度値に応じて補間を行うものである。バイリニア法は、最短距離法の一つであり、隣接する４点から線形的に中間値を求める線形補間を行うものである。バイキュービック法は、バイリニア法の隣接する４点に、その周囲の１２点を追加した合計１６点に対して重み付けを行った上で、補間すべき値を求めるものである。ランチョス法は、Lanczos関数を用いて画像を拡大して、高画質を取得するものである。
【００５６】
スケーリング方式が単純なほど、画像を拡大したときに低画質に（スケーリング品位が悪く）なる傾向があるので、ノイズリダクション、エンハンス、および、超解像度処理の各画像処理は、強度を強くして実行される。一方、スケーリング方式が複雑なほど、画像を拡大したときに高画質に（スケーリング品位が良く）なる傾向があるので、上記各画像処理は、強度を弱くして実行される。
【００５７】
なお、画質調整のときに、オリジナル解像度およびスケーリング方式の両方を考慮してもよい。この場合、例えば、オリジナル画像の解像度が低くても、スケーリング方式が複雑であれば、画像を拡大したときに高画質になる傾向があるので、上記各画像処理は、強度を弱くして実行される。
【００５８】
さらに、オリジナル画像に超解像法が施されているか否かを判定し、超解像法が施されている場合に、受信機２の入力映像が高画質であると判断し、各画像処理の強度を弱くして実行する。超解像法には、再構成型と、学習型とがある。再構成型の超解像法は、撮像位置を少しずつずらしながら、同一の撮像対象を撮像したｎ枚の撮像画像データから、１枚の高解像度画像データを生成する画像処理である。ｎは撮像画像データを何倍に高解像度化するかに応じて決定され、例えば、撮像画像データをＸ倍に高解像度化する際には、少なくともＸ２枚の撮像画像データが必要となる。学習型の超解像法は、特定の被写体を撮影した、様々な倍率の画像を画像データベースに格納しておき、新たに画像を取得したときに、当該画像データベースから、取得した画像に最も類似している画像を抽出し、抽出した画像を調整して高解像度画像を再現する画像処理である。
【００５９】
〔動画圧縮方式、ビットレート、およびファイル形式に応じた画質調整〕
続いて、動画圧縮方式、ビットレート、およびファイル形式に応じた画質調整の一例について説明する。なお、ビットレートの高低による画質の差の程度は、動画圧縮方式によっても異なるため、下記例のようにビットレートが低いほど各画像処理の強度を強くするといった単純な相関を有する処理によってよい画質が得られるとは限られず、より複雑な相関を有する処理が必要になる場合もある。重要なことは、ビットレートの値に応じた強度を有する画質調整を行うことによって、より好適な画質を得ることができるという点である。
【００６０】
まず、動画圧縮方式は、送信機１のビデオエンコーダ１２において動画を圧縮する方式であり、ＭＰＥＧ２、Ｈ．２６４、Ｈ．２６５、ＶＰ６、ＶＰ８、ＶＰ９などがあり、その動画圧縮方式によって受信機２の入力画像の品位が異なる。そこで、画質調整部２６は、動画圧縮方式に応じた強度により、ノイズリダクション、エンハンス、および、超解像度処理の各画像処理を実行する。例えば、ＭＰＥＧ２、Ｈ．２６４、およびＨ．２６５の何れかの動画圧縮方式が選択される場合、同一のビットレートであれば、ＭＰＥＧ２＜Ｈ．２６４＜Ｈ．２６５の順に高画質になる。また、ＶＰ６、ＶＰ８、およびＶＰ９の何れかの動画圧縮方式が選択される場合、同一のビットレートであれば、ＶＰ６＜ＶＰ８＜ＶＰ９の順に高画質になる。このため、画質調整部２６における上記各画像処理は、ビットレートが同一であれば、ＭＰＥＧ２、Ｈ．２６４、Ｈ．２６５の順に、または、ＶＰ６、ＶＰ８、ＶＰ９の順に強度が弱くなるように実行される。
【００６１】
次に、ビットレートは、送信機１のビデオエンコーダ１２から出力されるビデオデータのビットレートであり、固定ビットレート（Constant Bit Rate；ＣＢＲ）と、可変ビットレート（Variable Bit Rate；ＶＢＲ）とに分けられる。ビットレートが低いほど、画像は、ノイズが多く、低画質になる傾向がある。そこで、画質調整部２６は、ビットレートに応じた強度により、上記各画像処理を実行する。すなわち、画質調整部２６における上記各画像処理は、ビットレートが低いほど、強度を強くして実行される。
【００６２】
さらに、ファイル形式は、送信機１のビデオエンコーダ１２から出力されるファイルの形式であり、avi/mkv/asf/wmv/mp4/mov/mpg/・・・などがある。画質調整部２６は、ファイル形式に応じた強度により、上記各画像処理を実行する。
【００６３】
なお、送信機１の制御情報生成部１９が生成する制御情報は、オリジナル解像度、スケーリング方式、動画圧縮方式、ビットレート、およびファイル形式の少なくとも何れかを含んでいればよい。
【００６４】
また、画質調整部２６が参照する画質情報は、オリジナル解像度、スケーリング方式、動画圧縮方式、ビットレート、およびファイル形式の何れか１つでもよいし、それらの２つ以上の組合せであってもよいし、すべてを含んでいてもよい。そして、画質調整部２６は、画質情報の参照値に応じた強度により、画像処理を実行する。その画像処理は、ノイズリダクション、エンハンス、および、超解像度処理の何れか１つでもよいし、それらの２つ以上の組合せであってもよいし、すべてを行ってもよい。
【００６５】
上記によれば、異なる画質（解像度、スケーリング方式、など）を有する複数の映像信号を受信し、当該映像信号から得られる映像を順次表示する受信機２において、受信した映像の解像度ではなく、送信機１における、アップコン前のオリジナル映像の解像度、ならびに、解像度変換部１１のスケーリング方式、ビデオエンコーダ１２の動画圧縮方式、ビットレート、およびファイル形式を含む画質情報をメタデータとして保持することにより、その画質情報に応じた画像処理が可能となり、より高画質の映像をディスプレイ２８に表示することができる。
【００６６】
また、上記画質情報を映像データ内ではなく、別個のＭＰＴに格納することにより、受信機２において、映像データのデコード処理を待つことなく、事前に映像データに対応する画質情報を画質調整部２６に出力するので、本編およびＣＭの間などの、映像の切り替わりと、画像処理の切り替わりとが同じタイミングにすることができ、映像が切り替ったとしても、高画質の映像を継続して表示することができる。
【００６７】
〔実施形態２：変形例〕
上記実施形態の送信機１は、コンテンツを再生するための制御情報を生成する制御情報生成装置としての機能と、デジタル放送信号を送信する送信装置としての機能とを共に備えていた。しかしながら、互いに独立した制御情報生成装置と送信装置との組み合わせによっても、上記送信機１と同様の機能を実現することができる。
【００６８】
〔実施形態３：ソフトウェアによる実現例〕
送信機１および受信機２の制御ブロック（特に多重化部１３、暗号化部１４、制御部１６、復号部２２、逆多重化部２３、画質調整部２６、表示制御部２７、および制御部２９）は、集積回路（ＩＣチップ）等に形成された論理回路（ハードウェア）によって実現してもよいし、ＣＰＵ（Central Processing Unit）を用いてソフトウェアによって実現してもよい。
【００６９】
後者の場合、送信機１および受信機２は、各機能を実現するソフトウェアである制御プログラムの命令を実行するＣＰＵ、上記制御プログラムおよび各種データがコンピュータ（またはＣＰＵ）で読み取り可能に記録されたＲＯＭ（Read Only Memory）または記憶装置（これらを「記録媒体」と称する）、上記制御プログラムを展開するＲＡＭ（Random Access Memory）などを備えている。そして、コンピュータ（またはＣＰＵ）が上記制御プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記制御プログラムは、該制御プログラムを伝送可能な任意の伝送媒体（通信ネットワークや放送波等）を介して上記コンピュータに供給されてもよい。なお、本発明は、上記制御プログラムが電子的な伝送によって具現化された、搬送波に埋め込まれたデータ信号の形態でも実現され得る。
【００７０】
〔まとめ〕
本発明の態様１に係る制御情報生成装置（送信機１）は、ＭＭＴにて送信されるコンテンツを再生するための制御情報を生成する制御情報生成装置であって、上記コンテンツの映像の画質に関する画質情報を取得する画質情報取得部（解像度情報取得部１７、解像度エンコード制御部１８）と、上記画質情報を含むＭＭＴパッケージテーブルを生成する制御情報生成部（１９）と、を備えている。
【００７１】
上記の構成によれば、画質情報を含むＭＭＴパッケージテーブル（ＭＰＴ）を生成する。ここで、ＭＰＴは、コンテンツと共に受信装置に送信されるものであり、受信装置はＭＰＴを参照しながらコンテンツを再生する。よって、上記の構成によれば、該ＭＰＴを受信した受信装置に、映像の画質に応じた画像処理を迅速に行わせることができる。特に、ＭＰＴは、１秒以内程度の短い時間間隔で定期的に送信されるので、コンテンツの変化に概ねリアルタイムで追従して画質を調整させることが可能となる。
【００７２】
本発明の態様２に係る制御情報生成装置は、上記態様１において、上記画質情報には、オリジナル画像の解像度、オリジナル画像に施されたスケーリング処理の方式、圧縮方式、ビットレート、およびファイル形式の少なくとも何れかを示す情報が含まれていることとしてもよい。
【００７３】
本発明の態様３に係る送信装置（送信機１）は、上記態様１および２に係る制御情報生成装置と、上記制御情報生成装置が生成したＭＭＴパッケージテーブルを上記コンテンツと共にデジタル放送信号として送信する送信部（１５）と、を備えている。
【００７４】
上記の構成によれば、上記制御情報生成装置が生成したＭＭＴパッケージテーブルを上記コンテンツと共にデジタル放送信号として送信する。よって、該デジタル放送信号を受信した受信装置に、上記ＭＭＴパッケージテーブルに含まれる映像の画質に応じた画像処理を迅速に行わせた上で、当該コンテンツを再生させることができる。
【００７５】
本発明の態様４に係る受信装置（受信機２）は、ＭＭＴにて送信されるコンテンツを受信する受信装置であって、上記コンテンツの映像の画質に関する画質情報を含むＭＭＴパッケージテーブルを取得する制御情報取得部（３２）と、上記コンテンツの映像の画質を上記画質情報に応じて調整する画質調整部（２６）と、を備えている。
【００７６】
上記の構成によれば、コンテンツの映像の画質に関する画質情報を含むＭＭＴパッケージテーブル（ＭＰＴ）を取得して、上記コンテンツの映像の画質を上記画質情報に応じて調整する。よって、上記の構成によれば、映像の画質に応じた画像処理を迅速に行わせた上で、該コンテンツを再生させることができる。特に、ＭＰＴは、１秒以内程度の短い時間間隔で定期的に送信されるので、コンテンツの変化に概ねリアルタイムで追従して画質を調整することが可能となる。
【００７７】
本発明の態様５に係る受信装置は、上記態様４において、上記画質情報には、オリジナル画像の解像度、オリジナル画像に施されたスケーリング処理の方式、圧縮方式、ビットレート、およびファイル形式の少なくとも何れかを示す情報が含まれていることとしてもよい。
【００７８】
本発明の態様６に係る受信装置は、上記態様４および５において、上記画質調整部が、ノイズリダクション、エンハンス、および、超解像度処理の少なくとも何れかを含む画像処理を、上記画質情報に応じた強度により実行することとしてもよい。
【００７９】
本発明の態様７に係るテレビジョン受像機（受信機２）は、上記態様４から６に係る受信装置を含んでいる。よって、態様４から６の受信装置と同様の作用効果を奏する。
【００８０】
本発明の態様８に係る映像信号伝送システム（５）は、ＭＭＴにてコンテンツを送信する送信装置と該コンテンツを受信する受信装置とを含む映像信号伝送システムであって、上記送信装置は、上記コンテンツの映像の画質に関する画質情報を含むＭＭＴパッケージテーブルを上記コンテンツと共にデジタル放送信号として上記受信装置に送信し、上記受信装置は、上記デジタル放送信号から上記ＭＭＴパッケージテーブルを取得し、上記コンテンツの映像の画質を上記画質情報に応じて調整する。よって、上記態様１の制御情報生成装置および上記態様３の受信装置と同様の作用効果を奏する。
【００８１】
本発明の各態様に係る制御情報生成装置、送信装置、および受信装置は、コンピュータによって実現してもよく、この場合には、コンピュータを上記制御情報生成装置、送信装置、または受信装置が備える各部として動作させることにより上記制御情報生成装置、送信装置、または受信装置をコンピュータにて実現させる制御プログラム、およびそれを記録したコンピュータ読み取り可能な記録媒体も、本発明の範疇に入る。
〔関連する実施形態についての説明I〕
以下、実施形態４〜６について説明する。
【００８２】
〔発明を実施するための形態〕
以下、本発明の実施形態４について、図６〜図８を参照して詳細に説明する。ただし、この実施形態に記載されている構成は、特に特定的な記載がない限り、この発明の範囲をそれのみに限定する趣旨ではなく、単なる説明例に過ぎない。
【００８３】
まず、本実施形態に係る映像信号伝送システムの構成を図６に基づいて説明する。図６は、映像信号伝送システム５ａに含まれる送信機（制御情報生成装置、送信装置）１ａおよび受信機（受信装置）２ａの要部構成の一例を示すブロック図である。
【００８４】
映像信号伝送システム５ａは、送信機１ａから受信機２ａに映像信号等を伝送するシステムである。映像信号伝送システム５ａは、伝送する映像の画質を示す画質情報を当該映像信号と共に送信する点が主な特徴点であり、これによって、映像に応じた最適な画質調整を行うことを可能にしている。なお、現行のデジタル放送では、ＭＰＥＧ２（Moving Picture Experts Group phase 2）方式のＴＳ（Transport Stream、トランスポートストリーム）フォーマットで信号が送信されている。そこで、本実施形態では、ＴＳフォーマットにて映像信号を伝送する例を説明する。
【００８５】
送信機１ａは、映像信号等の形態でコンテンツを送信する。より詳細には、送信機１ａは、放送経路（放送伝送路）にてコンテンツを構成する各パケット（ＴＳパケット）を送信する。一方の受信機２ａは、このコンテンツ（放送経路で配信されるコンテンツ）の受信機能を備えていると共に、例えばインターネット等の通信網を介して通信経路で配信されるコンテンツの受信機能も備えている。そして、受信機２ａは、これら２つの経路を介して受信した各コンテンツを組み合わせて再生することができる。なお、同図では、受信機２ａを１つのみ記載しているが、送信機１ａは複数の受信機２ａに対してコンテンツをブロードキャストする。
【００８６】
〔送信機の構成〕
送信機１ａは、図示のように、オーディオエンコーダ１０ａ、解像度変換部１１ａ、ビデオエンコーダ１２ａ、多重化部１３ａ、暗号化部１４ａ、送信部１５ａ、および制御部１６ａを備えている。また、制御部１６ａには、解像度情報取得部（画質情報取得部）１７ａ、解像度エンコード制御部１８ａ（画質情報取得部）、および制御情報生成部１９ａが含まれている。
【００８７】
オーディオエンコーダ１０ａは、送信機１ａが送信するコンテンツのオーディオ（音声）ストリームをエンコード（符号化）して多重化部１３ａに出力する。同様に、ビデオエンコーダ１２ａは、送信機１ａが送信するコンテンツのビデオ（映像）ストリームをエンコード（符号化）して多重化部１３ａに出力する。
【００８８】
解像度変換部１１ａは、オリジナルの画像から放送波に乗せられる４Ｋまたは８Ｋの画像への、解像度の変換処理を行い、変換した画像をビデオエンコーダ１２ａに出力する。当該変換処理は、スケーリング処理（拡大処理）と呼ばれ、オリジナル画像の解像度（オリジナル解像度とも呼ぶ）およびオリジナル画像に施されたスケーリング処理の方式（単に、スケーリング方式とも呼ぶ）に応じて異なる処理が行われる。なお、解像度の変換処理は、必ずしも送信機１ａが行うことに限定されることはなく、例えば、別体のサーバが行って、スケーリング処理が施された画像を送信機１ａに出力してもよい。
【００８９】
多重化部１３ａは、オーディオエンコーダ１０ａが出力したオーディオストリーム、ビデオエンコーダ１２ａが出力したビデオストリーム、および制御部１６ａが出力した制御情報を多重化し、その多重化ストリーム（ＴＳ信号）を暗号化部１４ａに出力する。
【００９０】
暗号化部１４ａは、多重化部１３ａが出力する多重化ストリームを暗号化して送信部１５ａに出力する。そして、送信部１５ａは、暗号化部１４ａが出力する暗号化されたデータをパケットとして、デジタル放送信号の形態で放送経路にて受信機２ａに送信する。
【００９１】
制御部１６ａは、送信機１ａの備える各部の制御等を行う。具体的には、制御部１６ａに含まれる解像度情報取得部１７ａは、送信機１ａが送信する画像の解像度に関する情報であり、オリジナル解像度を含む解像度情報を取得し、取得した解像度情報を制御情報生成部１９ａに出力する。解像度情報の取得方法は特に限定されないが、例えば、撮影に使用したカメラの機種等から、その撮影で得られた画像の解像度は決まるから、撮影に使ったカメラの情報から解像度情報を取得してもよい。また、映像処理を施した機材の情報から解像度情報を取得したり、編集の時点で映像解析を行って解像度情報を抽出したりする構成としてもよい。なお、解像度情報の詳細は後述する。
【００９２】
解像度エンコード制御部１８ａは、解像度変換部１１ａを制御して解像度変換を行わせて、スケーリング方式を示す情報を取得し、オーディオエンコーダ１０ａおよびビデオエンコーダ１２ａを制御してエンコードを行わせる。また、解像度エンコード制御部１８ａは、オリジナル画像のビットレート、圧縮方式、およびファイル形式を示す情報を取得する。
【００９３】
制御情報生成部１９ａは、送信機１ａが送信するコンテンツを再生するための制御情報を生成する。この制御情報は、ＴＳではＰＳＩ／ＳＩ（Program Specific Information / Service Information）と呼ばれるものであり、コンテンツに関する種々の情報が含まれるが、ここでは、ＰＳＩ／ＳＩのうち、コンテンツのプログラムに関する情報が記述されたＰＭＴ（Program Map Table、プログラムマップテーブル）の生成に絞って説明する。
【００９４】
送信機１ａでは、解像度情報取得部１７ａが画質情報としてオリジナル解像度を含む解像度情報を取得する処理を実行する。次に、解像度エンコード制御部１８ａが画質情報としてスケーリング方式、動画圧縮方式、ビットレート、およびファイル形式を取得する処理を実行する。そして、制御情報生成部１９ａが上記の画質情報を含む制御情報（ＰＭＴ）を生成する処理を実行する。したがって、このＰＭＴを受信した受信機２ａにおいて、該ＰＭＴと共に受信したコンテンツをその画質情報に応じた適切な画質調整を行って（あるいは画質調整を行わずに）表示させることが可能になる。
【００９５】
なお、解像度情報取得部１７ａおよび解像度エンコード制御部１８ａは、送信機１ａが送信するコンテンツが切り替わった場合、切り替え後のコンテンツの画質情報を取得し、制御情報生成部１９ａはこの画質情報を含むＰＭＴを生成する。このように、コンテンツの変化に追従して、異なる画質情報を含むＰＭＴを生成することにより、常に最適な画質調整によってコンテンツを再生させることが可能になる。
【００９６】
〔受信機の構成〕
受信機２ａは、図示のように、チューナ２０ａ、通信Ｉ／Ｆ２１ａ、復号部２２ａ、逆多重化部２３ａ、オーディオデコーダ２４ａ、ビデオデコーダ２５ａ、画質調整部２６ａ、表示制御部２７ａ、ディスプレイ２８ａ、および制御部２９ａを備えている。また、制御部２９ａには、復号制御部３０ａ、逆多重化制御部３１ａ、および制御情報取得部３２ａが含まれている。
【００９７】
チューナ２０ａは、放送経路にてデジタル放送信号として送信されるコンテンツ等を受信して復号部２２ａに出力する。一方、通信Ｉ／Ｆ２１ａは、通信経路にて送信されるコンテンツ等を受信して復号部２２ａに出力する。
【００９８】
復号部２２ａは、チューナ２０ａおよび通信Ｉ／Ｆ２１ａを介して受信したコンテンツが暗号化されていた場合、これを復号して逆多重化部２３ａに出力する。
【００９９】
逆多重化部２３ａは、復号部２２ａが出力するデータ（暗号は復号されているが多重化されているＴＳ信号）を逆多重化する。そして、逆多重化によって得られた当該コンテンツの各構成要素（コンポーネント）を、当該コンポーネントの種別に応じて処理する。具体的には、逆多重化部２３ａは、オーディオのコンポーネントはオーディオデコーダ２４ａに出力し、ビデオのコンポーネントはビデオデコーダ２５ａに出力し、制御情報は制御情報取得部３２ａに出力する。
【０１００】
オーディオデコーダ２４ａは、逆多重化部２３ａが出力するオーディオコンポーネントを復号してオーディオデータを出力する。同様に、ビデオデコーダ２５ａは、逆多重化部２３ａが出力するビデオコンポーネントを復号してビデオデータを出力する。
【０１０１】
画質調整部２６ａは、画質情報をもとに、画像処理の強度について決定し、決定した強度による画像処理を実行することにより、ビデオデコーダ２５ａが出力したビデオデータの画質を調整する。この画質調整により、ビデオデコーダ２５ａが出力したビデオデータが高画質になって、ディスプレイ２８ａに表示される。なお、画質調整部２６ａは、制御部２９ａ内に設けられていてもよい。画質を調整するための画像処理の具体例については、後述する。
【０１０２】
表示制御部２７ａは、ビデオデータをディスプレイ２８ａに表示させる制御を行う。また、ディスプレイ２８ａは、表示制御部２７ａの制御に従ってビデオデータを表示する。つまり、受信機２ａは、放送されるコンテンツの受信機能および再生（表示）機能を備えたテレビジョン受像機である。なお、ディスプレイ２８ａは、受信機２ａに外付けされた外部の装置であってもよい。
【０１０３】
制御部２９ａは、受信した制御情報に従って受信機２ａの備える各部を制御する。具体的には、復号制御部３０ａは、復号部２２ａを制御してコンテンツの復号を行わせる。また、逆多重化制御部３１ａは、逆多重化部２３ａを制御してコンテンツの逆多重化を行わせる。そして、制御情報取得部３２ａは、逆多重化部２３ａが逆多重化することによって出力された制御情報を取得し、制御情報に画質情報が含まれる場合には、この情報を画質調整部２６ａに出力する。
【０１０４】
上記によれば、制御情報のＰＭＴにオリジナル解像度を含む画質情報を含めることにより、制御情報解析用のプログラムを変更するだけで画質情報を取り出すことが可能になる。なお、ビデオデコーダ２５ａの動作は、従来通りである。従って、ビデオをデコードする前に画質情報を取得できるので、画質調整部２６ａが参照する変換テーブルなどを事前に準備し、映像の画質が変化した時に適切なタイミングで変換テーブルなどを切り替えることができる。
【０１０５】
〔画質情報を含むＰＭＴの例〕
続いて、画質情報を含むＰＭＴの例を図７に基づいて説明する。図７は、画質情報を含むＰＭＴの一例を示す図である。図示のＰＭＴには、当該ＰＭＴのバージョンを示す記述子Ｄ１１（version_number）と、ＰＭＴのプログラムＩＤを示す記述子Ｄ１２（program_number）とが含まれていると共に、画質情報を含む記述子Ｄ１３（descriptor()）が含まれている。
【０１０６】
そして、記述子Ｄ１３内には、当該記述子（descriptor）が画質情報に関する記述子であることを示す予め定めたタグdescriptor_tag、当該記述子の長さを示すdescriptor_length、および画質情報のデータ本体であるdata()が記述されている。なお、descriptor_tagの値は、記述子Ｄ１３に画質情報に関する記述が含まれていることが特定できればよく、例えばデジタル放送における標準規格を定めたARIB STD-B21において、他の記述子を示すものとして使用されていない「0xF0」の値を用いてもよい。
【０１０７】
ここで、一般にテレビ放送では、ソースが異なる映像が連続して送信され、このような異なるソースの映像は画質がそれぞれ異なっている可能性がある。そこで、このようなケースに対応するため、制御情報生成部１９ａは、ソースが変化するときには、ＰＭＴ内の画質情報を更新するとともに、ＰＭＴのバージョン情報（記述子Ｄ１１の値）も併せて更新する。そして、受信機２ａでは、制御情報取得部３２ａが、ＰＭＴのバージョンが更新されるたびに画質情報をチェックし、更新があれば画質調整部２６ａに新しい画質情報を伝達する。これにより、映像の変化に応じた適切な画質の調整が可能となる。
【０１０８】
図７のＰＭＴでは、data()として、受信した（再生対象の）コンテンツの映像のオリジナル解像度（１９２０×１０８０）、スケーリング方式（バイキュービック法）、動画圧縮方式（ＭＰＥＧ２）、ビットレート（１０Ｍｂｐｓ）、およびファイル形式（ＴＳ）が格納されている。しかしながら、data()に記述する画質情報は、受信したコンテンツの画質に関する情報であって、画質調整の要否判定、および画質調整要の場合の画像処理の態様の決定に用いることができるものであればよく、この例に限られない。
【０１０９】
なお、ＰＭＴには、コンポーネント記述子の１つであり、映像の解像度およびアスペクト比を示すコードであるcomponent_type（コンポーネント種別）が含まれ得る。例えば、０ｘ０３は、有効垂直解像度（有効走査線）が４８０本であり、総走査線が５２５本であり、アスペクト比が１６：９であることを示す。また、０ｘＢ３は、有効垂直解像度が１０８０本であり、総走査線が１１２５本であり、アスペクト比が１６：９であることを示す。ただし、この解像度は、受信機２ａが入力する映像の解像度であり、送信機１ａにおけるオリジナル映像の解像度ではない。
【０１１０】
〔画質情報の取得処理〕
次に、画質情報の取得について図８に基づいて説明する。図８は、受信機２ａで実行される画質情報を取得する処理の一例を示すフローチャートである。まず、制御情報取得部３２ａは、逆多重化部２３ａが出力する信号からＰＭＴを抽出して、抽出したＰＭＴからさらにdescriptor（記述子）を抽出する（Ｓ１１）。
【０１１１】
次に、制御情報取得部３２ａは、抽出した記述子が画質情報の記述子であるか否かを判定する（Ｓ１２）。具体的には、制御情報取得部３２ａは、抽出した記述子のdescriptor_tagの値が、画質情報に予め割り当てられたタグの値と一致する場合には、当該記述子が画質情報の記述子であると判定する。
【０１１２】
ここで、画質情報の記述子ではないと判定した場合（Ｓ１２でＮＯ）、制御情報取得部３２ａは、上記ＰＭＴに次の記述子が含まれているか否かを判定する（Ｓ１３）。そして、制御情報取得部３２ａは、含まれていると判定した場合（Ｓ１３でＹＥＳ）、Ｓ１１の処理に戻って次の記述子を抽出し、含まれていないと判定した場合（Ｓ１３でＮＯ）、処理を終了する。
【０１１３】
一方、Ｓ１２において、Ｓ１１で抽出した記述子が画質情報の記述子であると判定した場合（Ｓ１２でＹＥＳ）、制御情報取得部３２ａは、当該記述子を解析して、これに含まれる画質情報を抽出する。そして、抽出した画質情報を画質調整部２６ａに送信して（Ｓ１４）、処理を終了する。
【０１１４】
〔画質情報に応じた画質調整の概要〕
受信機２ａの画質調整部２６ａは、オリジナル解像度、スケーリング方式、動画圧縮方式、ビットレート、およびファイル形式を含む画質情報から入力映像の画質を推定し、その推定した画質から、画像処理の最適化を図る。すなわち、高画質用、低画質用などの画像処理パラメータ設定値の組合せを事前に用意しておき、入力画像を高画質に調整する方法として、入力映像の画質に応じて、画像処理パラメータ設定値の組合せを切り替えて、画像処理を実行する。
【０１１５】
〔オリジナル解像度に応じた画質調整〕
続いて、オリジナル解像度に応じた画質調整について、画質調整部２６ａは、図４を用いて説明した処理と同様の処理を行う。また、図４を用いて説明した効果と同様の効果を奏する。
【０１１６】
〔スケーリング方式に応じた画質調整〕
続いて、スケーリング方式に応じた画質調整について、画質調整部２６ａは、図５を用いて説明した処理と同様の処理を行う。また、図５を用いて説明した効果と同様の効果を奏する。
【０１１７】
〔動画圧縮方式、ビットレート、およびファイル形式に応じた画質調整〕
続いて、動画圧縮方式、ビットレート、およびファイル形式に応じた画質調整の一例について、画質調整部２６ａは、実施形態１で説明した処理と同様の処理を行う。また、実施形態１で説明した効果と同様の効果を奏する。
【０１１８】
〔実施形態５：変形例〕
上記実施形態の送信機１ａは、コンテンツを再生するための制御情報を生成する制御情報生成装置としての機能と、デジタル放送信号を送信する送信装置としての機能とを共に備えていた。しかしながら、互いに独立した制御情報生成装置と送信装置との組み合わせによっても、上記送信機１ａと同様の機能を実現することができる。
【０１１９】
〔実施形態６：ソフトウェアによる実現例〕
送信機１ａおよび受信機２ａの制御ブロック（特に多重化部１３ａ、暗号化部１４ａ、制御部１６ａ、復号部２２ａ、逆多重化部２３ａ、画質調整部２６ａ、表示制御部２７ａ、および制御部２９ａ）は、集積回路（ＩＣチップ）等に形成された論理回路（ハードウェア）によって実現してもよいし、ＣＰＵ（Central Processing Unit）を用いてソフトウェアによって実現してもよい。
【０１２０】
後者の場合、送信機１ａおよび受信機２ａは、各機能を実現するソフトウェアである制御プログラムの命令を実行するＣＰＵ、上記制御プログラムおよび各種データがコンピュータ（またはＣＰＵ）で読み取り可能に記録されたＲＯＭ（Read Only Memory）または記憶装置（これらを「記録媒体」と称する）、上記制御プログラムを展開するＲＡＭ（Random Access Memory）などを備えている。そして、コンピュータ（またはＣＰＵ）が上記制御プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記制御プログラムは、該制御プログラムを伝送可能な任意の伝送媒体（通信ネットワークや放送波等）を介して上記コンピュータに供給されてもよい。なお、本発明は、上記制御プログラムが電子的な伝送によって具現化された、搬送波に埋め込まれたデータ信号の形態でも実現され得る。
【０１２１】
〔まとめ〕
本発明の態様９に係る制御情報生成装置（送信機１ａ）は、トランスポートストリームにて送信されるコンテンツを再生するための制御情報を生成する制御情報生成装置であって、上記コンテンツの映像の画質に関する画質情報を取得する画質情報取得部（解像度情報取得部１７ａ、解像度エンコード制御部１８ａ）と、上記画質情報を含むプログラムマップテーブルを生成する制御情報生成部（１９ａ）と、を備えている。
【０１２２】
上記の構成によれば、画質情報を含むプログラムマップテーブル（ＰＭＴ）を生成する。ここで、ＰＭＴは、コンテンツと共に受信装置に送信されるものであり、受信装置はＰＭＴを参照しながらコンテンツを再生する。よって、上記の構成によれば、該ＰＭＴを受信した受信装置に、映像の画質に応じた画像処理を迅速に行わせることができる。特に、ＰＭＴは、１秒以内程度の短い時間間隔で定期的に送信されるので、コンテンツの変化に概ねリアルタイムで追従して画質を調整させることが可能となる。
【０１２３】
本発明の態様１０に係る制御情報生成装置は、上記態様９において、上記画質情報には、オリジナル画像の解像度、オリジナル画像に施されたスケーリング処理の方式、圧縮方式、ビットレート、およびファイル形式の少なくとも何れかを示す情報が含まれていることとしてもよい。
【０１２４】
本発明の態様１１に係る送信装置（送信機１ａ）は、上記態様９および１０に係る制御情報生成装置と、上記制御情報生成装置が生成したプログラムマップテーブルを上記コンテンツと共にデジタル放送信号として送信する送信部（１５ａ）と、を備えている。
【０１２５】
上記の構成によれば、上記制御情報生成装置が生成したプログラムマップテーブルを上記コンテンツと共にデジタル放送信号として送信する。よって、該デジタル放送信号を受信した受信装置に、上記プログラムマップテーブルに含まれる映像の画質に応じた画像処理を迅速に行わせた上で、当該コンテンツを再生させることができる。
【０１２６】
本発明の態様１２に係る受信装置（受信機２ａ）は、トランスポートストリームにて送信されるコンテンツを受信する受信装置であって、上記コンテンツの映像の画質に関する画質情報を含むプログラムマップテーブルを取得する制御情報取得部（３２ａ）と、上記コンテンツの映像の画質を上記画質情報に応じて調整する画質調整部（２６ａ）と、を備えている。
【０１２７】
上記の構成によれば、コンテンツの映像の画質に関する画質情報を含むプログラムマップテーブル（ＰＭＴ）を取得して、上記コンテンツの映像の画質を上記画質情報に応じて調整する。よって、上記の構成によれば、映像の画質に応じた画像処理を迅速に行わせた上で、該コンテンツを再生させることができる。特に、ＰＭＴは、１秒以内程度の短い時間間隔で定期的に送信されるので、コンテンツの変化に概ねリアルタイムで追従して画質を調整することが可能となる。
【０１２８】
本発明の態様１３に係る受信装置は、上記態様１２において、上記画質情報には、オリジナル画像の解像度、オリジナル画像に施されたスケーリング処理の方式、圧縮方式、ビットレート、およびファイル形式の少なくとも何れかを示す情報が含まれていることとしてもよい。
【０１２９】
本発明の態様１４に係る受信装置は、上記態様１２および１３において、上記画質調整部が、ノイズリダクション、エンハンス、および、超解像度処理の少なくとも何れかを含む画像処理を、上記画質情報に応じた強度により実行することとしてもよい。
【０１３０】
本発明の態様１５に係るテレビジョン受像機（受信機２ａ）は、上記態様１２から１４に係る受信装置を含んでいる。よって、態様１２から１４の受信装置と同様の作用効果を奏する。
【０１３１】
本発明の態様１６に係る映像信号伝送システム（５ａ）は、トランスポートストリームにてコンテンツを送信する送信装置と該コンテンツを受信する受信装置とを含む映像信号伝送システムであって、上記送信装置は、上記コンテンツの映像の画質に関する画質情報を含むプログラムマップテーブルを上記コンテンツと共にデジタル放送信号として上記受信装置に送信し、上記受信装置は、上記デジタル放送信号から上記プログラムマップテーブルを取得し、上記コンテンツの映像の画質を上記画質情報に応じて調整する。よって、上記態様９の制御情報生成装置および上記態様１１の受信装置と同様の作用効果を奏する。
【０１３２】
本発明の各態様に係る制御情報生成装置、送信装置、および受信装置は、コンピュータによって実現してもよく、この場合には、コンピュータを上記制御情報生成装置、送信装置、または受信装置が備える各部として動作させることにより上記制御情報生成装置、送信装置、または受信装置をコンピュータにて実現させる制御プログラム、およびそれを記録したコンピュータ読み取り可能な記録媒体も、本発明の範疇に入る。
〔関連する実施形態についての説明II〕
以下、実施形態７〜９について説明する。
【０１３３】
〔発明を実施するための形態〕
以下、本発明の実施形態７について、図９〜図１２を参照して詳細に説明する。ただし、この実施形態に記載されている構成は、特に特定的な記載がない限り、この発明の範囲をそれのみに限定する趣旨ではなく、単なる説明例に過ぎない。
【０１３４】
まず、本実施形態に係る映像信号伝送システムの構成を図９に基づいて説明する。図９は、映像信号伝送システム５ｂに含まれる送信機（制御情報生成装置、送信装置）１ｂおよび受信機（受信装置）２ｂの要部構成の一例を示すブロック図である。
【０１３５】
映像信号伝送システム５ｂは、送信機１ｂから受信機２ｂに映像信号等を伝送するシステムである。映像信号伝送システム５ｂは、伝送する映像の画質を示す画質情報を当該映像信号に付加して送信する点が主な特徴点であり、これによって、映像に応じた最適な画質調整を行うことを可能にしている。なお、現行のデジタル放送では、ＭＰＥＧ２（Moving Picture Experts Group phase 2）方式のＴＳ（Transport Stream、トランスポートストリーム）フォーマットで信号が送信されている。そこで、本実施形態では、ＴＳフォーマットにて映像信号を伝送する例を説明するが、映像信号を伝送するフォーマットは、これに限定されるものではない。例えば、次世代の４Ｋ／８Ｋ放送では、ＭＭＴ（MPEG Media Transport）フォーマットで信号が送信されることが検討されており、ＭＭＴフォーマットにて映像信号を伝送する場合においても、映像信号伝送システム５ｂを適用することが可能である。
【０１３６】
送信機１ｂは、映像信号等の形態でコンテンツを送信する。より詳細には、送信機１ｂは、放送経路（放送伝送路）にてコンテンツを構成する各パケット（ＴＳパケット／ＭＭＴＰパケット：MMT Protocol パケット）を送信する。一方の受信機２ｂは、このコンテンツ（放送経路で配信されるコンテンツ）の受信機能を備えていると共に、例えばインターネット等の通信網を介して通信経路で配信されるコンテンツの受信機能も備えている。そして、受信機２ｂは、これら２つの経路を介して受信した各コンテンツを組み合わせて再生することができる。なお、同図では、受信機２ｂを１つのみ記載しているが、送信機１ｂは複数の受信機２ｂに対してコンテンツをブロードキャストする。
【０１３７】
〔送信機の構成〕
送信機１ｂは、図示のように、オーディオエンコーダ１０ｂ、解像度変換部１１ｂ、ビデオエンコーダ１２ｂ、多重化部１３ｂ、暗号化部１４ｂ、送信部１５ｂ、および制御部１６ｂを備えている。また、制御部１６ｂには、解像度情報取得部（画質情報取得部）１７ｂ、解像度エンコード制御部１８ｂ（画質情報取得部）、および制御情報生成部１９ｂが含まれている。
【０１３８】
オーディオエンコーダ１０ｂは、送信機１ｂが送信するコンテンツのオーディオ（音声）ストリームをエンコード（符号化）して多重化部１３ｂに出力する。同様に、ビデオエンコーダ１２ｂは、送信機１ｂが送信するコンテンツのビデオ（映像）ストリームをエンコード（符号化）して多重化部１３ｂに出力する。
【０１３９】
解像度変換部１１ｂは、オリジナルの画像から放送波に乗せられる４Ｋまたは８Ｋの画像への、解像度の変換処理を行い、変換した画像をビデオエンコーダ１２ｂに出力する。当該変換処理は、スケーリング処理（拡大処理）と呼ばれ、オリジナル画像の解像度（オリジナル解像度とも呼ぶ）およびオリジナル画像に施されたスケーリング処理の方式（単に、スケーリング方式とも呼ぶ）に応じて異なる処理が行われる。なお、解像度の変換処理は、必ずしも送信機１ｂが行うことに限定されることはなく、例えば、別体のサーバが行って、スケーリング処理が施された画像を送信機１ｂに出力してもよい。
【０１４０】
多重化部１３ｂは、オーディオエンコーダ１０ｂが出力したオーディオストリーム、ビデオエンコーダ１２ｂが出力したビデオストリーム、および制御部１６ｂが出力した制御情報を多重化し、その多重化ストリーム（ＭＭＴ信号）を暗号化部１４ｂに出力する。
【０１４１】
暗号化部１４ｂは、多重化部１３ｂが出力する多重化ストリームを暗号化して送信部１５ｂに出力する。そして、送信部１５ｂは、暗号化部１４ｂが出力する暗号化されたデータをパケットとして、デジタル放送信号の形態で放送経路にて受信機２ｂに送信する。
【０１４２】
制御部１６ｂは、送信機１ｂの備える各部の制御等を行う。具体的には、制御部１６ｂに含まれる解像度情報取得部１７ｂは、送信機１ｂが送信する画像の解像度に関する情報であり、オリジナル解像度を含む解像度情報を取得し、取得した解像度情報を制御情報生成部１９ｂに出力する。ここで、「送信機１ｂが送信する画像」には、送信機１ｂが送信する予定である画像、すなわち、放送予定の画像も含まれる。解像度情報の取得方法は特に限定されないが、例えば、撮影に使用したカメラの機種等から、その撮影で得られた画像の解像度は決まるから、撮影に使ったカメラの情報から解像度情報を取得してもよい。また、映像処理を施した機材の情報から解像度情報を取得したり、編集の時点で映像解析を行って解像度情報を抽出したりする構成としてもよい。なお、解像度情報の詳細は後述する。
【０１４３】
解像度エンコード制御部１８ｂは、解像度変換部１１ｂを制御して解像度変換を行わせて、スケーリング方式を示す情報を取得し、オーディオエンコーダ１０ｂおよびビデオエンコーダ１２ｂを制御してエンコードを行わせる。また、解像度エンコード制御部１８ｂは、オリジナル画像のビットレート、圧縮方式、およびファイル形式を示す情報を取得する。
【０１４４】
制御情報生成部１９ｂは、送信機１ｂが送信するコンテンツを再生するための制御情報を生成する。この制御情報は、ＴＳではＰＳＩ／ＳＩ（Program Specific Information / Service Information）と呼ばれるものであり、コンテンツに関する種々の情報が含まれるが、ここでは、ＰＳＩ／ＳＩのうち、コンテンツの内容に関する情報が記述されたＥＩＴ（Event Information Table、イベント情報テーブル）の生成に絞って説明する。なお、次世代の超高精細度テレビジョン放送においては、ＭＨ−ＥＩＴ(MPEG-H Event Information Table)と呼ばれるＥＩＴが用いられる。本明細書中における「ＥＩＴ」との文言には、「現行放送のＥＩＴ」及び「ＭＨ−ＥＩＴ」の双方が含まれるものとする。
【０１４５】
送信機１ｂでは、解像度情報取得部１７ｂが画質情報としてオリジナル解像度を含む解像度情報を取得する処理を実行する。次に、解像度エンコード制御部１８ｂが画質情報としてスケーリング方式、動画圧縮方式、ビットレート、およびファイル形式を取得する処理を実行する。そして、制御情報生成部１９ｂが上記の画質情報を含む制御情報（ＥＩＴ）を生成する処理を実行する。したがって、このＥＩＴを受信した受信機２ｂにおいて、コンテンツをその画質情報に応じた適切な画質調整を行って（あるいは画質調整を行わずに）表示させることが可能になる。
【０１４６】
なお、解像度情報取得部１７ｂおよび解像度エンコード制御部１８ｂは、送信機１ｂが送信するコンテンツ毎に、各コンテンツの画質情報を取得し、制御情報生成部１９ｂはこの画質情報を含むＥＩＴを生成する。このように、コンテンツ毎に、異なる画質情報を含むＥＩＴを生成することにより、常に最適な画質調整によってコンテンツを再生させることが可能になる。
【０１４７】
上記のように、送信機１ｂは、画質情報を含むＥＩＴを送信する構成であるため、従来の構成に変更を行うことなく、画質情報を送信することができる。
【０１４８】
〔受信機の構成〕
受信機２ｂは、図示のように、チューナ２０ｂ、通信Ｉ／Ｆ２１ｂ、復号部２２ｂ、逆多重化部２３ｂ、オーディオデコーダ２４ｂ、ビデオデコーダ２５ｂ、画質調整部２６ｂ、表示制御部２７ｂ、ディスプレイ２８ｂ、制御部２９ｂ、およびＯＳＤ（On Screen Display）生成部３３ｂを備えている。また、制御部２９ｂには、復号制御部３０ｂ、逆多重化制御部３１ｂ、および制御情報取得部３２ｂが含まれている。
【０１４９】
チューナ２０ｂは、放送経路にてデジタル放送信号として送信されるコンテンツ等を受信して復号部２２ｂに出力する。一方、通信Ｉ／Ｆ２１ｂは、通信経路にて送信されるコンテンツ等を受信して復号部２２ｂに出力する。
【０１５０】
復号部２２ｂは、チューナ２０ｂおよび通信Ｉ／Ｆ２１ｂを介して受信したコンテンツが暗号化されていた場合、これを復号して逆多重化部２３ｂに出力する。
【０１５１】
逆多重化部２３ｂは、復号部２２ｂが出力するデータ（暗号は復号されているが多重化されているＭＭＴ信号）を逆多重化する。そして、逆多重化によって得られた当該コンテンツの各構成要素（コンポーネント）を、当該コンポーネントの種別に応じて処理する。具体的には、逆多重化部２３ｂは、オーディオのコンポーネントはオーディオデコーダ２４ｂに出力し、ビデオのコンポーネントはビデオデコーダ２５ｂに出力し、制御情報は制御情報取得部３２ｂに出力する。
【０１５２】
オーディオデコーダ２４ｂは、逆多重化部２３ｂが出力するオーディオコンポーネントを復号してオーディオデータを出力する。同様に、ビデオデコーダ２５ｂは、逆多重化部２３ｂが出力するビデオコンポーネントを復号してビデオデータを出力する。
【０１５３】
画質調整部２６ｂは、画質情報をもとに、画像処理の強度について決定し、決定した強度による画像処理を実行することにより、ビデオデコーダ２５ｂが出力したビデオデータの画質を調整する。この画質調整により、ビデオデコーダ２５ｂが出力したビデオデータが高画質になって、ディスプレイ２８ｂに表示される。なお、画質調整部２６ｂは、制御部２９ｂ内に設けられていてもよい。画質を調整するための画像処理の具体例については、後述する。
【０１５４】
表示制御部２７ｂは、ビデオデータをディスプレイ２８ｂに表示させる制御を行う。また、ディスプレイ２８ｂは、表示制御部２７ｂの制御に従ってビデオデータを表示する。つまり、受信機２ｂは、放送されるコンテンツの受信機能および再生（表示）機能を備えたテレビジョン受像機である。なお、ディスプレイ２８ｂは、受信機２ｂに外付けされた外部の装置であってもよい。
【０１５５】
制御部２９ｂは、受信した制御情報に従って受信機２ｂの備える各部を制御する。具体的には、復号制御部３０ｂは、復号部２２ｂを制御してコンテンツの復号を行わせる。また、逆多重化制御部３１ｂは、逆多重化部２３ｂを制御してコンテンツの逆多重化を行わせる。そして、制御情報取得部３２ｂは、逆多重化部２３ｂが逆多重化することによって出力された制御情報を取得し、ＯＳＤ生成部３３ｂに出力するとともに、制御情報に画質情報が含まれる場合には、この情報を画質調整部２６ｂに出力する。
【０１５６】
上記によれば、制御情報のＥＩＴにオリジナル解像度を含む画質情報を含めることにより、制御情報解析用のプログラムを変更するだけで画質情報を取り出すことが可能になる。なお、ビデオデコーダ２５ｂの動作は、従来通りである。従って、ビデオをデコードする前に画質情報を取得できるので、画質調整部２６ｂが参照する変換テーブルなどを事前に準備し、映像の画質が変化した時に適切なタイミングで変換テーブルなどを切り替えることができる。
【０１５７】
ＯＳＤ生成部３３ｂは、制御情報取得部３２ｂが出力する制御情報（ＥＩＴ）を参照して、電子番組表（ＥＰＧ：Electronic Program Guide）を示すＯＳＤ画像を生成する。上記制御情報に画質情報が含まれる場合、ＯＳＤ生成部３３ｂが生成する電子番組表には、各コンテンツの画質情報をさらに含めることができる。ＯＳＤ生成部３３ｂにより生成されたＯＳＤ画像は、画質調整部２６ｂから出力されたビデオデータに重畳され、表示制御部２７ｂに供給される。なお、ＯＳＤ生成部３３ｂは、制御部２９ｂ内に設けられていてもよい。
【０１５８】
なお、ＯＳＤ生成部３３ｂが、逆多重化部２３ｂが逆多重化することによって出力された制御情報を取得する構成としてもよい。上記の場合、ＯＳＤ生成部３３ｂは、当該制御情報を解析することにより、電子番組表を示すＯＳＤ画像を生成するとともに、制御情報に画質情報が含まれる場合には、この情報を画質調整部２６ｂに出力するように構成としてもよい。上記の場合には、従来の構成に対して新たな構成を付加することなく、最小限の変更により制御情報取得部を実現することができる。
【０１５９】
〔画質情報を含むＥＩＴの例〕
続いて、画質情報を含むＥＩＴの例を図１０に基づいて説明する。図１０は、画質情報を含むＥＩＴの一例を示す図である。図示のＥＩＴには、当該ＥＩＴのバージョンを示す記述子Ｄ２１（version_number）と、ＥＩＴのサービスＩＤを示す記述子Ｄ２２（service_id）とが含まれていると共に、画質情報を含む記述子Ｄ２３（descriptor()）が含まれている。
【０１６０】
そして、記述子Ｄ２３内には、当該記述子（descriptor）が画質情報に関する記述子であることを示す予め定めたタグdescriptor_tag、当該記述子の長さを示すdescriptor_length、および画質情報のデータ本体であるdata()が記述されている。なお、descriptor_tagの値は、記述子Ｄ２３に画質情報に関する記述が含まれていることが特定できればよく、例えばデジタル放送における標準規格を定めたARIB STD-B21において、他の記述子を示すものとして使用されていない「0xF0」の値を用いてもよい。
【０１６１】
ここで、一般にテレビ放送では、ソースが異なる映像が連続して送信され、このような異なるソースの映像は画質がそれぞれ異なっている可能性がある。そこで、このようなケースに対応するため、制御情報生成部１９ｂは、ソースが変化するときには、ＥＩＴ内の画質情報を更新するとともに、ＥＩＴのバージョン情報（記述子Ｄ２１の値）も併せて更新する。そして、受信機２ｂでは、制御情報取得部３２ｂが、ＥＩＴのバージョンが更新されるたびに画質情報をチェックし、更新があれば画質調整部２６ｂに新しい画質情報を伝達する。これにより、映像の変化に応じた適切な画質の調整が可能となる。
【０１６２】
図１０のＥＩＴでは、data()として、受信した（再生対象の）コンテンツの映像のオリジナル解像度（１９２０×１０８０）、スケーリング方式（バイキュービック法）、動画圧縮方式（ＭＰＥＧ２）、ビットレート（１０Ｍｂｐｓ）、およびファイル形式（ＴＳ）が格納されている。しかしながら、data()に記述する画質情報は、受信したコンテンツの画質に関する情報であって、画質調整の要否判定、および画質調整要の場合の画像処理の態様の決定に用いることができるものであればよく、この例に限られない。
【０１６３】
なお、画質情報を示すテキストを、記述子Ｄ２３内のdata()に記述する構成としてもよい。制御情報取得部３２ｂは、当該テキストを解析することにより画質情報を取得する。なお、data()に記述されているテキストに、例えば、「＃」などのような予め定められたハッシュタグを付して記述する構成とすれば、当該テキストが画質情報を示すテキストであるか否かの判定を容易にすることができる。
【０１６４】
なお、ＥＩＴには、コンポーネント記述子の１つであり、映像の解像度およびアスペクト比を示すコードであるcomponent_type（コンポーネント種別）が含まれ得る。例えば、０ｘ０３は、有効垂直解像度（有効走査線）が４８０本であり、総走査線が５２５本であり、アスペクト比が１６：９であることを示す。また、０ｘＢ３は、有効垂直解像度が１０８０本であり、総走査線が１１２５本であり、アスペクト比が１６：９であることを示す。ただし、この解像度は、受信機２ｂが入力する映像の解像度であり、送信機１ｂにおけるオリジナル映像の解像度ではない。
【０１６５】
〔画質情報の取得処理〕
次に、画質情報の取得について図１１に基づいて説明する。図１１は、受信機２ｂで実行される画質情報を取得する処理の一例を示すフローチャートである。なお、ここでは、画質情報が記述子Ｄ２３内のdata()に記述されている例（図１０を参照）を説明する。まず、制御情報取得部３２ｂは、逆多重化部２３ｂが出力する信号からＥＩＴを抽出して、抽出したＥＩＴからさらにdescriptor（記述子）を抽出する（Ｓ２１）。
【０１６６】
次に、制御情報取得部３２ｂは、抽出した記述子が画質情報の記述子であるか否かを判定する（Ｓ２２）。具体的には、制御情報取得部３２ｂは、抽出した記述子のdescriptor_tagの値が、画質情報に予め割り当てられたタグの値と一致する場合には、当該記述子が画質情報の記述子であると判定する。
【０１６７】
ここで、画質情報の記述子ではないと判定した場合（Ｓ２２でＮＯ）、制御情報取得部３２ｂは、上記ＥＩＴに次の記述子が含まれているか否かを判定する（Ｓ２３）。そして、制御情報取得部３２ｂは、含まれていると判定した場合（Ｓ２３でＹＥＳ）、Ｓ２１の処理に戻って次の記述子を抽出し、含まれていないと判定した場合（Ｓ２３でＮＯ）、処理を終了する。
【０１６８】
一方、Ｓ２２において、Ｓ２１で抽出した記述子が画質情報の記述子であると判定した場合（Ｓ２２でＹＥＳ）、制御情報取得部３２ｂは、当該記述子を解析して、これに含まれる画質情報を抽出する。そして、抽出した画質情報を画質調整部２６ｂに送信して（Ｓ２４）、処理を終了する。
【０１６９】
なお、画質情報が記述子Ｄ２３内にテキストとして記述されている場合、Ｓ２２のステップにおいて、制御情報取得部３２ｂは、抽出した記述子を解析して、当該記述子に画質情報を示すテキストが含まれているか判定する構成とすればよい。
【０１７０】
〔画質情報に応じた画質調整の概要〕
受信機２ｂの画質調整部２６ｂは、オリジナル解像度、スケーリング方式、動画圧縮方式、ビットレート、およびファイル形式を含む画質情報から入力映像の画質を推定し、その推定した画質から、画像処理の最適化を図る。すなわち、高画質用、低画質用などの画像処理パラメータ設定値の組合せを事前に用意しておき、入力画像を高画質に調整する方法として、入力映像の画質に応じて、画像処理パラメータ設定値の組合せを切り替えて、画像処理を実行する。
【０１７１】
〔オリジナル解像度に応じた画質調整〕
続いて、オリジナル解像度に応じた画質調整について、画質調整部２６ｂは、図４を用いて説明した処理と同様の処理を行う。また、図４を用いて説明した効果と同様の効果を奏する。
【０１７２】
〔スケーリング方式に応じた画質調整〕
続いて、スケーリング方式に応じた画質調整について、画質調整部２６ｂは、図５を用いて説明した処理と同様の処理を行う。また、図５を用いて説明した効果と同様の効果を奏する。
【０１７３】
〔動画圧縮方式、ビットレート、およびファイル形式に応じた画質調整〕
続いて、動画圧縮方式、ビットレート、およびファイル形式に応じた画質調整の一例について、画質調整部２６ｂは、実施形態１で説明した処理と同様の処理を行う。また、実施形態１で説明した効果と同様の効果を奏する。
【０１７４】
〔受信機２ｂにおける電子番組表〕
続いて、受信機２ｂにおける電子番組表について、図１２を参照して説明する。図１２は、受信機２ｂのＯＳＤ生成部３３ｂが、画質情報を含むＥＩＴを参照して生成する電子番組表の一例を示す図である。図１２に示すように、ＯＳＤ生成部３３ｂが生成する電子番組表は、コンテンツのチャンネルを示す軸と、時間を示す軸とによって張られる二次元面に、各コンテンツを示すセルが配置されている。図１２に示すように、電子番組表のセルの何れかをフォーカスする操作が行われると、当該セルに対応したコンテンツに関する情報がクローズアップされて表示される。コンテンツに関する情報としては、例えば、番組名、放送時間、出演者、及び当該コンテンツの内容を示すテキストなどが挙げられる。
【０１７５】
本実施形態においては、ＥＩＴに画質情報が含まれる構成を採用している。そのため、本実施形態では、ＯＳＤ生成部３３ｂが生成する電子番組表において、各コンテンツの画質情報を提示することができる。図１２に示すように、各コンテンツに関する情報として、番組名、放送時間、出演者、及び当該コンテンツの内容を示すテキストに加え、当該コンテンツの画質情報（オリジナル画像の解像度）を示すテキストである「ＦＨＤ」がさらに提示されている。
【０１７６】
なお、ＥＩＴに含まれる画質情報に応じて、電子番組表における各セルの色を変更することにより、ユーザに各コンテンツの画質情報を提示する構成としてもよい。
【０１７７】
〔実施形態８：変形例〕
上記実施形態の送信機１ｂは、コンテンツを再生するための制御情報を生成する制御情報生成装置としての機能と、デジタル放送信号を送信する送信装置としての機能とを共に備えていた。しかしながら、互いに独立した制御情報生成装置と送信装置との組み合わせによっても、上記送信機１ｂと同様の機能を実現することができる。
【０１７８】
〔実施形態９：ソフトウェアによる実現例〕
送信機１ｂおよび受信機２ｂの制御ブロック（特に多重化部１３ｂ、暗号化部１４ｂ、制御部１６ｂ、復号部２２ｂ、逆多重化部２３ｂ、画質調整部２６ｂ、表示制御部２７ｂ、および制御部２９ｂ）は、集積回路（ＩＣチップ）等に形成された論理回路（ハードウェア）によって実現してもよいし、ＣＰＵ（Central Processing Unit）を用いてソフトウェアによって実現してもよい。
【０１７９】
後者の場合、送信機１ｂおよび受信機２ｂは、各機能を実現するソフトウェアである制御プログラムの命令を実行するＣＰＵ、上記制御プログラムおよび各種データがコンピュータ（またはＣＰＵ）で読み取り可能に記録されたＲＯＭ（Read Only Memory）または記憶装置（これらを「記録媒体」と称する）、上記制御プログラムを展開するＲＡＭ（Random Access Memory）などを備えている。そして、コンピュータ（またはＣＰＵ）が上記制御プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記制御プログラムは、該制御プログラムを伝送可能な任意の伝送媒体（通信ネットワークや放送波等）を介して上記コンピュータに供給されてもよい。なお、本発明は、上記制御プログラムが電子的な伝送によって具現化された、搬送波に埋め込まれたデータ信号の形態でも実現され得る。
【０１８０】
〔まとめ〕
本発明の態様１７に係る制御情報生成装置（送信機１ｂ）は、デジタル放送において送信されるコンテンツを再生するための制御情報を生成する制御情報生成装置であって、上記コンテンツの映像の画質に関する画質情報を取得する画質情報取得部（解像度情報取得部１７ｂ、解像度エンコード制御部１８ｂ）と、上記画質情報を含むイベント情報テーブルを生成する制御情報生成部（１９ｂ）と、を備えている。
【０１８１】
上記の構成によれば、画質情報を含むイベント情報テーブル（ＥＩＴ）を生成する。ここで、ＥＩＴは、デジタル放送信号に付加されて送信されるものであり、受信装置において電子番組表を生成する際に参照されるものである。すなわち、上記の構成によれば、該ＥＩＴを受信した受信装置に、該受信装置が再生するコンテンツの画質情報を、該コンテンツの再生に先立って提供することができる。よって、上記の構成によれば、該ＥＩＴを受信した受信装置に、映像の画質に応じた画像処理を迅速に行わせることができる。また、上記の構成によれば、該ＥＩＴを受信した受信装置に、該コンテンツの画質情報を含む電子番組表を生成させることができる。
【０１８２】
本発明の態様１８に係る制御情報生成装置は、上記態様１７において、上記画質情報には、オリジナル画像の解像度、オリジナル画像に施されたスケーリング処理の方式、圧縮方式、ビットレート、およびファイル形式の少なくとも何れかを示す情報が含まれていることとしてもよい。
【０１８３】
本発明の態様１９に係る送信装置（送信機１ｂ）は、上記態様１７および１８に係る制御情報生成装置と、上記制御情報生成装置が生成したイベント情報テーブルをデジタル放送信号に付加して送信する送信部（１５ｂ）と、を備えている。
【０１８４】
上記の構成によれば、上記制御情報生成装置が生成したイベント情報テーブルをデジタル放送信号に付加して送信する。受信装置は、電子番組表を生成する際に、上記イベント情報テーブルを参照する。すなわち、上記の構成によれば、受信装置に、該受信装置が再生するコンテンツの画質情報を、該コンテンツの再生に先立って提供することができる。よって、該デジタル放送信号を受信した受信装置に、上記イベント情報テーブルに含まれる映像の画質に応じた画像処理を迅速に行わせた上で、当該コンテンツを再生させることができる。
【０１８５】
本発明の態様２０に係る受信装置（受信機２ｂ）は、デジタル放送において送信されるコンテンツを受信する受信装置であって、上記コンテンツの映像の画質に関する画質情報を含むイベント情報テーブルを取得する制御情報取得部（３２ｂ）と、上記コンテンツの映像の画質を上記画質情報に応じて調整する画質調整部（２６ｂ）と、を備えている。
【０１８６】
上記の構成によれば、コンテンツの映像の画質に関する画質情報を含むイベント情報テーブルを、当該コンテンツの再生に先立って取得して、上記コンテンツの映像の画質を上記画質情報に応じて調整する。よって、上記の構成によれば、映像の画質に応じた画像処理を迅速に行わせた上で、該コンテンツを再生させることができる。また、上記の構成によれば、該コンテンツの色域情報を含む電子番組表を生成することができる。
【０１８７】
本発明の態様２１に係る受信装置は、上記態様２０において、上記画質情報には、オリジナル画像の解像度、オリジナル画像に施されたスケーリング処理の方式、圧縮方式、ビットレート、およびファイル形式の少なくとも何れかを示す情報が含まれていることとしてもよい。
【０１８８】
本発明の態様２２に係る受信装置は、上記態様２０および２１において、上記画質調整部が、ノイズリダクション、エンハンス、および、超解像度処理の少なくとも何れかを含む画像処理を、上記画質情報に応じた強度により実行することとしてもよい。
【０１８９】
本発明の態様２３に係るテレビジョン受像機（受信機２ｂ）は、上記態様２０から２２に係る受信装置を含んでいる。よって、態様２０から２２の受信装置と同様の作用効果を奏する。
【０１９０】
本発明の態様２４に係る映像信号伝送システム（５ｂ）は、デジタル放送におけるコンテンツを送信する送信装置と該コンテンツを受信する受信装置とを含む映像信号伝送システムであって、上記送信装置は、上記コンテンツの映像の画質に関する画質情報を含むイベント情報テーブルをデジタル放送信号に付加して上記受信装置に送信し、上記受信装置は、上記デジタル放送信号から上記イベント情報テーブルを取得し、上記コンテンツの映像の画質を上記画質情報に応じて調整する。よって、上記態様１７の制御情報生成装置および上記態様１９の受信装置と同様の作用効果を奏する。
【０１９１】
本発明の各態様に係る制御情報生成装置、送信装置、および受信装置は、コンピュータによって実現してもよく、この場合には、コンピュータを上記制御情報生成装置、送信装置、または受信装置が備える各部として動作させることにより上記制御情報生成装置、送信装置、または受信装置をコンピュータにて実現させる制御プログラム、およびそれを記録したコンピュータ読み取り可能な記録媒体も、本発明の範疇に入る。
〔関連する実施形態についての説明III〕
以下、実施形態１０〜１３について説明する。
【０１９２】
〔実施形態１０〜１３の背景技術について〕
昨今、放送の高度化の一環として、従来よりも高い解像度を再現することのできる映像信号が提案されている。４Ｋ、８Ｋに対応したテレビでは、それぞれ、従来の４倍、１６倍の解像度により映像を表示することが可能になっている。２０１４年６月には、この規格を採用した４Ｋ試験放送が開始されており、今後も４Ｋ／８Ｋの放送を中心に採用される見込みである。
【０１９３】
〔実施形態１０〜１３の発明が解決しようとする課題〕
４Ｋ映像、８Ｋ映像には、オリジナル映像に対して何らのスケーリング処理（拡大処理）を行うことなく、４Ｋ、８Ｋの解像度を有する映像がある一方で、フルＨＤのオリジナル映像を４Ｋにアップコン（アップコンバート；低い解像度のデータを高解像度化すること）した映像もある。また、４Ｋのオリジナル映像を８Ｋにアップコンした映像もある。
【０１９４】
このように、オリジナル映像の解像度などを含む画質は多様なので、テレビにおける画質調整では、本来のオリジナル映像の画質に合わせた処理を行うことが好ましい。しかしながら、オリジナル映像の画質が不明であることから、テレビが受信した実際の映像の画質に応じた画像処理をすることしかできなかった。その一例として、特許文献１には、ＨＤＭＩ（High Definition Multimedia Interface；登録商標）信号により実際の映像の解像度情報を受信し、当該解像度情報に応じて解像度切換を行う技術が開示されている。
【０１９５】
一方で、上記の問題を解決するために、画質情報を映像データ内に埋め込むことも考えられるが、この構成を採用したとしても、映像データをデコードした後でなければ画質が判明せず、映像の切り替わりなどで、画像処理の切り替えが遅れ、映像と画像処理とが整合していない期間が発生するという問題がある。
【０１９６】
また、４Ｋ／８Ｋの放送を受信可能な受信装置（テレビジョン受像機など）は、放送経路と通信経路という２つの通信経路を併用したサービスであるハイブリッドキャストに対応しているものも多い。しかしながら、従来は、ハイブリッドキャストに対応した受信装置が、通信経路を介して取得した情報を用いてコンテンツを再生することができるという特性を、映像の画質に応じた画像処理に利用することは行われていなかった。
【０１９７】
本発明は、上記課題に鑑みてなされたものであり、その目的は、ハイブリッドキャストに対応した受信装置に、映像の画質に応じた画像処理を迅速に行わせることができる送信装置等を提供することにある。
【０１９８】
〔実施形態１０〜１３に係る発明の効果〕
実施形態１０〜１３に係る発明は、ハイブリッドキャストに対応した受信装置に、映像の画質に応じた画像処理を迅速に行わせることができる。
【０１９９】
〔発明を実施するための形態〕
〔実施形態１０〕
以下、本発明の実施の形態について、図１３〜図１８を参照して詳細に説明する。まず、本実施形態に係る映像信号伝送システムの構成を図１３に基づいて説明する。図１３は、映像信号伝送システム５ｃに含まれる送信機（送信装置、制御情報生成装置）１ｃの要部構成の一例を示すブロック図である。
【０２００】
映像信号伝送システム５ｃは、送信機１ｃから受信機（受信装置）２ｃに映像信号等を伝送するシステムである。映像信号伝送システム５ｃは、伝送する映像の画質を示す画質情報を、通信経路を介して受信機２ｃに取得させる点が主な特徴点であり、これによって、映像に応じた最適な画質調整を行うことを可能にしている。なお、次世代の４Ｋ／８Ｋ放送では、ＭＭＴ（MPEG Media Transport）フォーマットで信号が送信されることが検討されている。そこで、本実施形態では、ＭＭＴフォーマットにて映像信号を伝送する例を説明する。
【０２０１】
送信機１ｃは、映像信号等の形態でコンテンツを送信する。より詳細には、送信機１ｃは、放送経路（放送伝送路）にてコンテンツを構成する各パケット（ＭＭＴＰパケット：MMT Protocol パケット）を送信する。一方の受信機２ｃは、このコンテンツ（放送経路で配信されるコンテンツ）の受信機能を備えていると共に、例えばインターネット等の通信網を介して通信経路で配信されるコンテンツの受信機能も備えている。そして、受信機２ｃは、これら２つの経路を介して受信した各コンテンツを組み合わせて再生することができる。なお、同図では、受信機２ｃを１つのみ記載しているが、送信機１ｃは複数の受信機２ｃに対してコンテンツをブロードキャストする。
【０２０２】
〔送信機の構成〕
送信機１ｃは、図示のように、オーディオエンコーダ１０ｃ、ビデオエンコーダ１１ｃ、多重化部１２ｃ、暗号化部１３ｃ、送信部（制御情報送信部）１４ｃ、制御部１５ｃ、通信Ｉ／Ｆ１６ｃ、および解像度変換部１７ｃを備えている。また、制御部１５ｃには、解像度エンコード制御部（画質情報取得部）１５１ｃ、解像度情報取得部（画質情報取得部）１５２ｃ、画質情報通知部（画質情報送信部）１５３ｃ、および制御情報生成部１５４ｃが含まれている。
【０２０３】
オーディオエンコーダ１０ｃは、送信機１ｃが送信するコンテンツのオーディオ（音声）ストリームをエンコード（符号化）して多重化部１２ｃに出力する。同様に、ビデオエンコーダ１１ｃは、送信機１ｃが送信するコンテンツのビデオ（映像）ストリームをエンコード（符号化）して多重化部１２ｃに出力する。
【０２０４】
解像度変換部１７ｃは、オリジナルの画像から放送波に乗せられる４Ｋまたは８Ｋの画像への、解像度の変換処理を行い、変換した画像をビデオエンコーダ１１ｃに出力する。当該変換処理は、スケーリング処理（拡大処理）と呼ばれ、オリジナル画像の解像度（オリジナル解像度とも呼ぶ）およびオリジナル画像に施されたスケーリング処理の方式（単に、スケーリング方式とも呼ぶ）に応じて異なる処理が行われる。なお、解像度の変換処理は、必ずしも送信機１ｃが行うことに限定されることはなく、例えば、別体のサーバが行って、スケーリング処理が施された画像を送信機１ｃに出力してもよい。
【０２０５】
多重化部１２ｃは、オーディオエンコーダ１０ｃが出力したオーディオストリーム、ビデオエンコーダ１１ｃが出力したビデオストリーム、および制御部１５ｃが出力した制御情報を多重化して暗号化部１３ｃに出力する。
【０２０６】
暗号化部１３ｃは、多重化部１２ｃが出力する多重化ストリームを暗号化して送信部１４ｃに出力する。そして、送信部１４ｃは、暗号化部１３ｃが出力する暗号化されたデータをパケットとして、デジタル放送信号の形態で放送経路にて受信機２ｃに送信する。
【０２０７】
制御部１５ｃは、送信機１ｃの備える各部の制御等を行う。具体的には、制御部１５ｃに含まれる解像度情報取得部１５２ｃは、送信機１ｃが送信する画像の解像度に関する情報であり、オリジナル解像度を含む解像度情報を取得し、取得した解像度情報を画質情報通知部１５３ｃに出力する。解像度情報の取得方法は特に限定されないが、例えば、撮影に使用したカメラの機種等から、その撮影で得られた画像の解像度は決まるから、撮影に使ったカメラの情報から解像度情報を取得してもよい。また、映像処理を施した機材の情報から解像度情報を取得したり、編集の時点で映像解析を行って解像度情報を抽出したりする構成としてもよい。なお、解像度情報の詳細は後述する。
【０２０８】
解像度エンコード制御部１５１ｃは、解像度変換部１７ｃを制御して解像度変換を行わせて、スケーリング方式を示す情報を取得し、オーディオエンコーダ１０ｃおよびビデオエンコーダ１１ｃを制御してエンコードを行わせる。また、解像度エンコード制御部１５１ｃは、オリジナル画像のビットレート、圧縮方式、およびファイル形式を示す情報を取得する。
【０２０９】
画質情報通知部１５３ｃは、解像度情報取得部１５２ｃが取得した解像度情報、および、解像度エンコード制御部１５１ｃが取得したスケーリング方式、動画圧縮方式、ビットレート、およびファイル形式を示す情報を、画質情報として受信機２ｃに通知する。具体的には、画質情報通知部１５３ｃは、受信機２ｃからの要求に応じて、通信Ｉ／Ｆ１６ｃを介して画質情報を当該受信機２ｃに送信する。
【０２１０】
制御情報生成部１５４ｃは、送信機１ｃが送信するコンテンツを再生するための制御情報を生成する。この制御情報は、ＭＭＴではＭＭＴ−ＳＩと呼ばれるものであり、コンテンツに関する種々の情報が含まれるが、ここでは、ＭＭＴ−ＳＩのうち、コンテンツの映像の出力中に実行されるプログラム（ソフトウェア）に関する情報が記述されたＡＩＴ（Application Information Table）の生成に絞って説明する。
【０２１１】
このように、送信機１ｃでは、解像度情報取得部１５２ｃが画質情報としてオリジナル解像度を含む解像度情報を取得する処理（画質情報取得ステップ）を実行する。次に、解像度エンコード制御部１５１ｃが画質情報としてスケーリング方式、動画圧縮方式、ビットレート、およびファイル形式を取得する処理（画質情報取得ステップ）を実行する。そして、制御情報生成部１５４ｃが上記の画質情報を取得するための制御情報（ＡＩＴ）を生成する処理（制御情報生成ステップ）を実行する。そして、送信部１４ｃが上記制御情報を受信機２ｃに送信する処理（制御情報送信ステップ）を実行し、該制御情報に従って画質情報の送信を要求する受信機２ｃに対し、画質情報通知部１５３ｃが画質情報を通信経路にて送信する処理（画質情報送信ステップ）を実行する。
【０２１２】
したがって、このＡＩＴを受信した受信機２ｃにおいて、該ＡＩＴと共に受信したコンテンツをその画質情報に応じた適切な画質調整を行って（あるいは画質調整を行わずに）表示させることが可能になる。
【０２１３】
なお、解像度情報取得部１５２ｃおよび解像度エンコード制御部１５１ｃは、送信機１ｃが送信するコンテンツが切り替わる場合、切り替え後のコンテンツの画質情報を取得し、画質情報通知部１５３ｃは新たに取得された画質情報を送信する。このように、コンテンツの変化に追従して、異なる画質情報を送信することにより、常に最適な画質調整によってコンテンツを再生させることが可能になる。なお、上記の例のように、ＡＩＴを書き換えることなく、送信する画質情報を切り替えてもよいし、送信する画質情報の変更に伴い、当該変更後の画質情報が取得されるようにＡＩＴを書き換えてもよい。
【０２１４】
〔受信機の構成〕
続いて、受信機２ｃの構成を図１４に基づいて説明する。図１４は、受信機２ｃの要部構成の一例を示すブロック図である。受信機２ｃは、図示のように、チューナ２０ｃ、通信Ｉ／Ｆ２１、復号部２２、逆多重化部２３ｃ、オーディオデコーダ２４ｃ、ビデオデコーダ２５ｃ、画質調整部２６ｃ、表示制御部２７ｃ、ディスプレイ２８ｃ、入力部２９ｃ、および制御部３０ｃを備えている。また、制御部３０ｃには、復号制御部３０１ｃ、逆多重化制御部３０２ｃ、制御情報取得部３０３ｃ、アプリ制御部３０４ｃ、画質情報取得部３０５ｃ、および画質調整受付部３０６ｃが含まれている。
【０２１５】
チューナ２０ｃは、放送経路にてデジタル放送信号として送信されるコンテンツ等を受信して復号部２２ｃに出力する。一方、通信Ｉ／Ｆ２１ｃは、通信経路にて送信されるコンテンツ等を受信して復号部２２ｃに出力する。つまり、受信機２ｃは、放送経路と通信経路とを併用したハイブリッドキャストに対応した受信装置である。また、詳細は後述するが、通信Ｉ／Ｆ２１ｃを介して画質情報が取得される。
【０２１６】
復号部２２ｃは、チューナ２０ｃおよび通信Ｉ／Ｆ２１ｃを介して受信したコンテンツが暗号化されていた場合、これを復号して逆多重化部２３ｃに出力する。
【０２１７】
逆多重化部２３ｃは、復号部２２ｃが出力するデータ（暗号は復号されているが多重化されている）を逆多重化する。そして、逆多重化によって得られた当該コンテンツの各構成要素（コンポーネント）を、当該コンポーネントの種別に応じて処理する。具体的には、逆多重化部２３ｃは、オーディオのコンポーネントはオーディオデコーダ２４ｃに出力し、ビデオのコンポーネントはビデオデコーダ２５ｃに出力し、制御情報は制御情報取得部３０３ｃに出力する。
【０２１８】
オーディオデコーダ２４ｃは、逆多重化部２３ｃが出力するオーディオコンポーネントを復号してオーディオデータを出力する。同様に、ビデオデコーダ２５ｃは、逆多重化部２３ｃが出力するビデオコンポーネントを復号してビデオデータを出力する。
【０２１９】
画質調整部２６ｃは、画質情報をもとに、画像処理の強度について決定し、決定した強度による画像処理を実行することにより、ビデオデコーダ２５ｃが出力したビデオデータの画質を調整する。この画質調整により、ビデオデコーダ２５ｃが出力したビデオデータが高画質になって、ディスプレイ２８ｃに表示される。なお、画質調整部２６ｃは、制御部３０ｃ内に設けられていてもよい。画質を調整するための画像処理の具体例については、後述する。
【０２２０】
表示制御部２７ｃは、ビデオデータをディスプレイ２８ｃに表示させる制御を行う。また、ディスプレイ２８ｃは、表示制御部２７ｃの制御に従ってビデオデータを表示する。つまり、受信機２は、放送されるコンテンツの受信機能および再生（表示）機能を備えたテレビジョン受像機である。なお、ディスプレイ２８ｃは、受信機２ｃに外付けされた外部の装置であってもよい。
【０２２１】
入力部２９ｃは、受信機２ｃに対するユーザ操作を受け付けて制御部３０ｃに該操作の内容を通知する入力装置である。入力部２９ｃは、例えば赤外線等で送信される、ユーザ操作の内容を示す信号を受信する受信部であってもよい。
【０２２２】
制御部３０ｃは、受信した制御情報に従って受信機２ｃの備える各部を制御する。具体的には、復号制御部３０１ｃは、復号部２２ｃを制御してコンテンツの復号を行わせる。また、逆多重化制御部３０２ｃは、逆多重化部２３ｃを制御してコンテンツの逆多重化を行わせる。
【０２２３】
制御情報取得部３０３ｃは、逆多重化部２３ｃが逆多重化することによって出力された制御情報を取得し、制御情報に含まれるＡＩＴをアプリ制御部３０４ｃに出力する。そして、アプリ制御部３０４ｃは、制御情報取得部３０３ｃが出力するＡＩＴに従って各種アプリケーションソフトウェア（以下、アプリと呼ぶ）の動作を制御する。具体的には、アプリ制御部３０４ｃは、画質情報取得部３０５ｃと画質調整受付部３０６ｃとを起動させ、また起動終了させる制御を行う。
【０２２４】
画質情報取得部３０５ｃおよび画質調整受付部３０６ｃは、アプリによってその機能が実現されるものである。画質情報取得部３０５ｃは、通信Ｉ／Ｆ２１ｃを介して送信機１ｃから画質情報を取得して画質調整受付部３０６ｃまたは画質調整部２６ｃに送信する。画質調整受付部３０６ｃは、画質を調整するためのユーザ操作を受け付け、該ユーザ操作に応じた画質の調整方法を画質調整部２６ｃに通知する。
【０２２５】
〔ＡＩＴと画質情報の取得〕
続いて、ＡＩＴと画質情報の取得について、図１５に基づいて説明する。図１５は、放送信号と共に送信されるＡＩＴと該ＡＩＴに従ったアプリの起動例を示す図である。
【０２２６】
同図の（ａ）には、ＡＩＴに従って１つのアプリ（画質情報取得部３０５ｃ）を起動する例を示している。図示のように、ＡＩＴは送信信号（放送信号）と共に送信されており、同一サービスの選局が維持されている間は、そのサービスのＡＩＴが定期的に送信される。
【０２２７】
ここで、送信機１ｃが送信するＡＩＴには、画質情報取得部３０５ｃを自動で起動することを示す記述が含まれており、このＡＩＴを受信した受信機２ｃでは、この記述に従って画質情報取得部３０５ｃを起動する。そして、起動した画質情報取得部３０５ｃによって、画質情報が取得されると、画質情報取得部３０５ｃの起動を終了する。なお、画質情報の取得先は、例えばＵＲＬ（Uniform Resource Locator）等の形式でＡＩＴに記述されていてもよい。
【０２２８】
一方、同図の（ｂ）には、ＡＩＴに従って２つのアプリ（画質情報取得部３０５ｃと画質調整受付部３０６ｃ）を起動する例を示している。この例においても、送信機１ｃが送信するＡＩＴには、画質情報取得部３０５ｃを自動で起動することを示す記述が含まれており、このＡＩＴを受信した受信機２ｃでは、この記述に従って画質情報取得部３０５ｃを起動する。
【０２２９】
また、この例では、ＡＩＴにもう１つのアプリ（画質調整受付部３０６ｃに対応するapp2）が記述されている。起動した画質情報取得部３０５ｃによって画質情報が取得され、所定のユーザ操作がなされると、ＡＩＴに従って、画質情報取得部３０５ｃ（app1）に代わって画質調整受付部３０６ｃを起動する。そして、起動した画質調整受付部３０６ｃによって、画質を調整するユーザ操作を受け付けて、該ユーザ操作に応じた画質の調整方法が決定されると、画質情報取得部３０５ｃおよび画質調整受付部３０６ｃの起動を終了する。
【０２３０】
ここで、一般にテレビ放送では、ソースが異なる映像が連続して送信され、このような異なるソースの映像は画質がそれぞれ異なっている可能性がある。そこで、このようなケースに対応するため、送信機１ｃの画質情報通知部１５３ｃは、通知する画質情報を、新たなソースに対応するものに更新する。そして、受信機２ｃのアプリ制御部３０４ｃは、定期的に（例えば新たなＡＩＴを受信したタイミングや、ＡＩＴのバージョンが変わったタイミングで）画質情報取得部３０５ｃを起動して、再度画質情報を取得させる。これにより、映像の変化に応じた適切な画質調整が可能となる。
【０２３１】
〔コンテンツとの同期〕
上述のように、送信機１ｃは、放送経路にてコンテンツを送信すると共に、通信経路にてそのコンテンツの画質情報を送信する。そして、受信機２ｃは、放送経路にて送信される上記コンテンツを再生しながら、通信経路にて受信した画質情報に応じて再生する上記コンテンツの画質を調整する。このように、コンテンツとは異なる経路で画質情報を送信する場合、コンテンツの画質の切り替わりと高精度に同期させて、適用する画質情報も変化させるための仕組みが必要となる。
【０２３２】
例えば、図１６に示すように、画質が変化するタイミングをクロック（ＰＣＲ：Program Clock Reference）で規定したタイミング指定情報を受信機２ｃに送信することにより、コンテンツの画質が切り替わるタイミングで、適用する画質情報を変化させることができる。図１６は、タイミング指定情報と、該タイミング指定情報に応じた画質の変化の例を示す図である。なお、ＰＣＲは、ハイブリッドキャスト放送において、放送コンテンツと通信コンテンツとを同期させるために使用される時刻情報である。
【０２３３】
図１６の例では、ＰＣＲ（１）となったタイミングにおけるコンテンツの画質は画質（１）であり、これがＰＣＲ（２）となると画質（２）に、ＰＣＲ（３）となると画質（３）に切り替わっている。このような画質の変化は、例えば同図の左上に示すように、ＰＣＲとそのときの画質（画質情報）とを対応付けたタイミング指定情報として表すことができる。
【０２３４】
なお、このようなタイミング指定情報は、コンテンツの放送スケジュールや、コンテンツの途中に放送される広告コンテンツ等に基づいて、画質が変化するタイミングおよび変化後にどのような画質となるかを予め取得しておくことによって生成することができる。
【０２３５】
そして、このようなタイミング指定情報を受信した受信機２ｃでは、画質情報取得部３０５ｃが、該タイミング指定情報の示すタイミングに、該タイミングに対応付けられた画質情報を画質調整部２６ｃに通知する。これにより、タイミング指定情報の示すタイミングで異なる画質調整を適用することが可能になる。
【０２３６】
なお、画質情報取得部３０５ｃは、画質情報を画質調整受付部３０６ｃに送信してもよく、この場合には、画質調整受付部３０６ｃがユーザ操作に応じた画質の調整方法を決定し、該決定した調整方法を画質調整部２６ｃに通知する。
【０２３７】
ただし、広告コンテンツのような比較的放送時間の短いコンテンツへの切り替えの際に、ユーザに画質を調整させた場合、却ってユーザに煩わしさを感じさせることも考えられる。このため、切り替え後のコンテンツの放送時間が所定時間（例えば５分）以下である場合には、取得した画質情報に基づいて自動で画質を調整し、所定時間を超える場合にはユーザに調整させてもよい。
【０２３８】
〔画質情報に応じた画質調整の概要〕
受信機２ｃの画質調整部２６ｃは、オリジナル解像度、スケーリング方式、動画圧縮方式、ビットレート、およびファイル形式を含む画質情報から入力映像の画質を推定し、その推定した画質から、画像処理の最適化を図る。すなわち、高画質用、低画質用などの画像処理パラメータ設定値の組合せを事前に用意しておき、入力画像を高画質に調整する方法として、入力映像の画質に応じて、画像処理パラメータ設定値の組合せを切り替えて、画像処理を実行する。
【０２３９】
〔オリジナル解像度に応じた画質調整〕
続いて、オリジナル解像度に応じた画質調整について、画質調整部２６ｃは、図４を用いて説明した処理と同様の処理を行う。また、図４を用いて説明した効果と同様の効果を奏する。
【０２４０】
〔スケーリング方式に応じた画質調整〕
続いて、スケーリング方式に応じた画質調整について、画質調整部２６ｃは、図５を用いて説明した処理と同様の処理を行う。また、図５を用いて説明した効果と同様の効果を奏する。
【０２４１】
〔動画圧縮方式、ビットレート、およびファイル形式に応じた画質調整〕
続いて、動画圧縮方式、ビットレート、およびファイル形式に応じた画質調整の一例について、画質調整部２６ｃは、実施形態１で説明した処理と同様の処理を行う。また、実施形態１で説明した効果と同様の効果を奏する。
【０２４２】
〔画質調整情報を用いた画質調整〕
上述の例では、画質調整部２６ｃが画質情報を用いて、その画質情報に応じた画質調整を決定しているが、画質を調整する調整方法を示す画質調整情報を参照することによって適用する画質調整を決定してもよい。
【０２４３】
上記の場合には、画質情報通知部１５３ｃが受信機２ｃに通知する画質情報に、画質調整情報を含める構成とすればよい。上記画質調整情報としては、例えば、当該コンテンツを放送する事業者により規定された画質調整情報であって、当該事業者が当該コンテンツを再生する際の設定としてユーザにおすすめする設定を示す画質調整情報などが挙げられる。
【０２４４】
このような画質調整情報を受信した受信機２ｃでは、画質情報取得部３０５ｃがこの画質調整情報を画質調整部２６ｃに送信し、画質調整部２６ｃはこの画質調整情報を用いて映像の画質を調整する。なお、画質情報取得部３０５ｃは、ディスプレイ２８ｃに応じた１つの画質調整情報を取得してもよいし、複数の画質調整情報を取得してもよい。複数の画質調整情報を取得した場合、その中からディスプレイ２８ｃに応じた画質調整情報を抽出して画質調整部２６ｃに送信する。また、画質調整情報を取得する場合であっても、オリジナル解像度、スケーリング方式、動画圧縮方式、ビットレート、およびファイル形式のような画質情報も合わせて取得してもよい。これにより、画質調整情報による画質調整が、ユーザの意に沿わないものとなった場合に、他の画質調整を行うことが可能になる。
【０２４５】
〔画質情報の取得処理〕
次に、画質情報の取得について図１７に基づいて説明する。図１７は、受信機２ｃで実行される画質情報を取得する処理の一例を示すフローチャートである。なお、ここでは、ユーザ操作に基づく画質調整は行わず、受信機２ｃが自動的に画質を調整する例を説明する。
【０２４６】
まず、制御情報取得部３０３ｃは、逆多重化部２３ｃが出力する信号からＡＩＴを抽出してアプリ制御部３０４ｃに出力し、アプリ制御部３０４ｃはこのＡＩＴに従って画質情報取得部３０５ｃを起動する（Ｓ３１）。
【０２４７】
次に、起動した画質情報取得部３０５ｃは、上記ＡＩＴの示す所定の取得先（この例では送信機１ｃ）から通信経路にて画質情報を取得する（Ｓ３２）。また、画質情報取得部３０５ｃは、取得した画質情報を画質調整部２６ｃに送信して（Ｓ３３）、その旨をアプリ制御部３０４ｃに通知する。そして、アプリ制御部３０４ｃは、画質情報取得部３０５ｃの起動を終了し（Ｓ３４）、これにより画質情報の取得処理は終了する。
【０２４８】
〔ユーザ操作による画質調整〕
続いて、ユーザ操作による画質調整について図１８に基づいて説明する。図１８は、ユーザ操作による画質調整を受け付ける場合に受信機２ｃで実行される処理の一例を示すフローチャートである。
【０２４９】
ユーザが画質調整を行う場合、画質情報取得部３０５ｃに加え、画質調整受付部３０６ｃを起動し、この画質調整受付部３０６ｃによってユーザ操作を受け付ける。このため、画質調整のためのユーザ操作を受け付ける場合には、画質調整受付部３０６ｃを起動させるための記述をＡＩＴに含めておく。
【０２５０】
まず、制御情報取得部３０３ｃは、逆多重化部２３ｃが出力する信号からＡＩＴを抽出してアプリ制御部３０４ｃに出力し、アプリ制御部３０４ｃはこのＡＩＴに従って画質情報取得部３０５ｃを起動する（Ｓ４０）。そして、起動した画質情報取得部３０５ｃは、画質情報を取得する（Ｓ４１）。
【０２５１】
また、アプリ制御部３０４ｃは、上記ＡＩＴに従って画質調整受付部３０６ｃを起動し（Ｓ４２）、画質情報取得部３０５ｃに指示して、画質調整受付部３０６ｃに画質情報を送信させる。そして、画質情報を受信した画質調整受付部３０６ｃは、画質調整の要否をユーザに選択させるための画面をディスプレイ２８ｃに表示させて、画質調整の要否をユーザに選択させる。なお、画質調整が否である旨の選択がなされたときには、画質調整部２６ｃに画質情報を送信して画質を調整させる。
【０２５２】
ここで、画質調整が要である旨の選択がなされたときには、画質調整受付部３０６ｃは、ユーザに画質調整を行わせるための画面をディスプレイ２８ｃに表示させて、画質調整するユーザ操作を受け付ける（Ｓ４３）。
【０２５３】
そして、画質調整受付部３０６ｃは、受け付けたユーザ操作に応じた調整方法を画質調整部２６ｃに通知して（Ｓ４４）、その旨をアプリ制御部３０４ｃに通知する。アプリ制御部３０４ｃは、画質調整受付部３０６ｃの起動を終了し（Ｓ４５）、また、画質情報取得部３０５ｃの起動も終了して（Ｓ４６）、これにより処理は終了する。
【０２５４】
〔実施形態１１〕
本発明の実施形態１１について、図１９及び図２０に基づいて説明する。なお、上記実施形態と同様の構成には同一の参照番号を付し、その説明を省略する。まず、本実施形態の映像信号伝送システム５００の概要を図１９に基づいて説明する。図１９は、映像信号伝送システム５００の概略構成を示す図である。
【０２５５】
図示のように、映像信号伝送システム５００には、送信機１００、受信機２００、画質情報管理サーバ３００、および端末装置（送信装置）４００が含まれている。映像信号伝送システム５００は、上記実施形態の映像信号伝送システム５ｃと同様に、送信機１００から受信機２００に映像信号等を伝送するシステムである。
【０２５６】
映像信号伝送システム５００では、端末装置４００にて画質情報管理サーバ３００から画質情報を取得し、取得した画質情報（または該画質情報に基づいて決定した画質の調整方法）を受信機２００に送信する。なお、画質情報管理サーバ３００は、放送される各コンテンツの画質情報を管理するサーバであり、該サーバにアクセスしてコンテンツを通知することにより、そのコンテンツに対応する画質情報を取得することができる。映像信号伝送システム５００は、このような処理により、映像の画質に応じた画像処理を迅速に行わせることを可能にしている。
【０２５７】
〔受信機および端末装置の構成〕
続いて、受信機２００および端末装置４００構成を図２０に基づいて説明する。図２０は、受信機２００および端末装置４００の要部構成の一例を示すブロック図である。受信機２００は、図１４の受信機２ｃと概ね同様の構成であるが、ＡＩＴから画質情報を取得する機能を備えておらず、画質情報取得部３０５ｃが端末装置４００から画質情報または画質の調整方法を取得する点で異なっている。なお、図２０では、制御部３０ｃ内のブロックとして画質情報取得部３０５ｃのみを記載しているが、図１４の復号制御部３０１ｃ、逆多重化制御部３０２ｃ等も制御部３０ｃに含まれる。
【０２５８】
端末装置４００は、受信機２００のユーザが使用するものであり、受信機２００および画質情報管理サーバ３００との通信機能を備えた端末装置である。端末装置４００は、例えばスマートフォンやタブレット端末のような汎用の端末装置であってもよい。図示のように、端末装置４００は、通信Ｉ／Ｆ４０、制御部４１、表示部４２、および入力部４３を備えている。
【０２５９】
通信Ｉ／Ｆ４０は、端末装置４００が外部の装置、具体的には受信機２００および画質情報管理サーバ３００と通信経路にて通信するためのものである。通信Ｉ／Ｆ４０は、例えばインターネットのような通信網を介して通信を行う装置であってもよい。なお、受信機２００と通信を行うための通信Ｉ／Ｆと、画質情報管理サーバ３００と通信を行うための通信Ｉ／Ｆとが個別に設けられていてもよい。
【０２６０】
制御部４１は、端末装置４００の各部を統括して制御するものであり、画質情報取得部４１１、画質情報通知部（画質情報送信部）４１２、および画質調整受付部４１３を含む。
【０２６１】
画質情報取得部４１１は、画質情報を取得する。具体的には、画質情報取得部４１１は、ユーザの指定したコンテンツ（放送されており、受信機２００で受信されているコンテンツ）の画質情報を、画質情報管理サーバ３００から取得する。そして、画質情報取得部４１１は、取得した画質情報を画質調整受付部４１３に送信する。なお、端末装置４００では画質の調整を行わない構成とすることも可能であり、この場合には、画質調整受付部４１３は、取得した画質情報を画質情報通知部４１２に送信し、画質情報通知部４１２はこの画質情報を受信機２００に送信する。
【０２６２】
画質情報通知部４１２は、画質調整受付部４１３が決定した画質の調整方法を通信経路で（通信Ｉ／Ｆ４０ｃを介して）受信機２００に通知する。なお、上記の通り、端末装置４００で画質の調整を行わない場合には、画質情報通知部４１２は、画質情報取得部４１１が取得した画質情報を通信Ｉ／Ｆ４０ｃを介して受信機２００に通知する。
【０２６３】
画質調整受付部４１３は、画質情報取得部４１１が取得した画質情報に基づき、コンテンツの画質を調整するユーザ操作を受け付ける画質調整画面を表示部４２に表示させる。そして、該画質調整画面の表示中のユーザ操作に従って画質の調整方法を決定し、決定した調整方法を画質情報通知部４１２に送信する。これにより、当該調整方法が受信機２００に通知される。
【０２６４】
表示部４２は、制御部４１の制御に従って画像を表示する表示装置であり、入力部４３は端末装置４００に対するユーザの入力操作を受け付けて制御部４１に該操作の内容を通知する入力装置である。ここでは、表示部４２の表示面と入力部４３の入力面とが一体に構成されたタッチパネルである例を説明するが、表示部４２と入力部４３とは独立した別個の装置であってもよい。
【０２６５】
以上のように、本実施形態の映像信号伝送システム５００によれば、ユーザは端末装置４００にて、受信機２００に表示されるコンテンツの画質を自分の好みに合うように調整することができる。そして、この映像信号伝送システム５００では、送信機１００は、画質情報の取得や送信等、画質の調整のための処理を行う必要がなく、このため、従来の放送局で使用されているような一般的な送信機をそのまま適用することも可能である。
【０２６６】
また、この映像信号伝送システム５００では、受信機２００に画質を調整するユーザ操作を受け付けるための構成を設ける必要がなく、端末装置４００にアプリをインストールするだけで画質を調整するユーザ操作を受け付けることができる。よって、受信機２００の製造コストを増加させることなく、ユーザによる画質の調整を簡易に実現することができる。
【０２６７】
〔実施形態１２：変形例〕
上記実施形態の送信機１ｃは、画質情報を受信機２ｃに送信する送信装置としての機能と、画質情報を取得するためのＡＩＴを生成する制御情報生成装置としての機能と、デジタル放送信号を送信する放送信号送信装置としての機能とを備えていた。しかしながら、互いに独立した送信装置と制御情報生成装置と放送信号送信装置との組み合わせによっても、上記送信機１ｃと同様の機能を実現することができる。例えば、画質情報を送信する送信装置と、上記ＡＩＴを生成する制御情報生成装置と、放送信号を送信する放送信号送信装置とを含む映像信号伝送システムであっても、上記送信機１ｃと同様の機能を実現できる。また、例えば、画質情報を送信する送信装置と、上記ＡＩＴを生成する機能と放送信号を送信する機能とを備えた装置との組み合わせによっても、上記送信機１ｃと同様の機能を実現できる。
【０２６８】
そして、上記各実施形態では、コンテンツを放送経路で送信する例を説明したが、コンテンツは通信経路で送信してもよい。また、放送経路で送信されるコンテンツと通信経路で送信されるコンテンツを組み合わせて再生してもよい。
【０２６９】
〔実施形態１３：ソフトウェアによる実現例〕
送信機１ｃ、受信機２ｃ、受信機２００、および端末装置４００の制御ブロック（特に制御部１５ｃ、多重化部１２ｃ、暗号化部１３ｃ、送信部１４ｃ、復号部２２ｃ、逆多重化部２３ｃ、画質調整部２６ｃ、表示制御部２７ｃ、制御部３０ｃ、制御部４１）は、集積回路（ＩＣチップ）等に形成された論理回路（ハードウェア）によって実現してもよいし、ＣＰＵ（Central Processing Unit）を用いてソフトウェアによって実現してもよい。
【０２７０】
後者の場合、送信機１ｃ、受信機２ｃ、受信機２００、および端末装置４００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２７１】
〔まとめ〕
本発明の態様２５に係る送信装置（送信機１ｃ、端末装置４００）は、放送経路と通信経路とを併用したハイブリッドキャストに対応した受信装置（受信機２ｃ）に情報を送信する送信装置であって、上記受信装置に送信されるコンテンツの映像の画質に関する画質情報を取得する画質情報取得部（解像度エンコード制御部１５１ｃ、解像度情報取得部１５２ｃ、画質情報取得部４１１）と、上記画質情報を通信経路にて上記受信装置に送信する画質情報送信部（画質情報通知部１５３ｃ、画質情報通知部４１２）と、を備えている。
【０２７２】
上記の構成によれば、画質情報を通信経路にて受信装置に送信する。ここで、上記受信装置は、放送経路と通信経路とを併用したハイブリッドキャストに対応しているから、通信経路で受信した画質情報を用いてコンテンツを再生することができる。よって、上記の構成によれば、該画質情報を受信した受信装置に、映像の画質に応じた画像処理を迅速に行わせることができる。
【０２７３】
本発明の態様２６に係る送信装置は、上記態様２５において、上記画質情報には、オリジナル画像の解像度、オリジナル画像に施されたスケーリング処理の方式、圧縮方式、ビットレート、およびファイル形式の少なくとも何れかを示す情報が含まれていることとしてもよい。
【０２７４】
本発明の態様２７に係る送信装置では、上記態様２５又は２６において、上記画質情報送信部は、上記画質情報を適用すべきタイミングを示すタイミング指定情報を送信してもよい。
【０２７５】
上記の構成によれば、タイミング指定情報を送信するので、このタイミング指定情報の示すタイミングで、画質情報に応じた画質調整を適用させることができる。これにより、例えばフレーム単位で異なる画質調整を適用させることも可能になる。なお、上記タイミング指定情報としては、例えばクロック（ＰＣＲ）のような、ハイブリッドキャストにおいて同期制御に使用される時刻情報を適用することが好ましい。
【０２７６】
本発明の態様２８に係る送信装置では、上記態様２５から２７において、上記画質情報には、上記コンテンツの映像の画質を調整する調整方法を示す画質調整情報が含まれていてもよい。
【０２７７】
上記の構成によれば、画質情報には画質調整情報が含まれているので、これを受信した受信装置は、該画質調整情報の示す調整方法を用いて上記コンテンツの映像の画質を調整することができる。つまり、上記の構成によれば、受信装置に画質の調整方法を決定する処理を行わせることなく、コンテンツの映像の画質を調整させることができる。
【０２７８】
本発明の態様２９に係る制御情報生成装置（送信機１ｃ）は、放送経路と通信経路とを併用したハイブリッドキャストに対応した受信装置（受信機２ｃ）に送信されるコンテンツの再生に関する制御情報を生成する制御情報生成装置であって、上記コンテンツの映像の画質に関する画質情報を取得するための制御情報（ＡＩＴ）を生成する制御情報生成部（１５４ｃ）と、上記受信装置に上記制御情報を送信する制御情報送信部（送信部１４ｃ）と、を備えている。
【０２７９】
上記の構成によれば、画質情報を取得するための制御情報を生成して受信装置に送信するので、該受信装置に該制御情報を用いて画質情報を取得させることができる。よって、上記の構成によれば、受信装置に映像の画質に応じた画像処理を迅速に行わせることができる。
【０２８０】
本発明の態様３０に係る制御情報生成装置は、上記態様２９において、上記制御情報送信部は、上記制御情報を上記コンテンツと共にデジタル放送信号として上記受信装置に送信する構成であってもよい。
【０２８１】
上記の構成によれば、上記制御情報を上記コンテンツと共にデジタル放送信号として送信する。よって、このデジタル放送信号を受信した受信装置に、上記制御情報に従って取得した画質情報に応じて、画像処理を迅速に行わせることができる。
【０２８２】
本発明の態様３１に係る受信装置（受信機２ｃ）は、放送経路と通信経路とを併用したハイブリッドキャストに対応した受信装置であって、再生対象のコンテンツの映像の画質に関する画質情報を取得するための制御情報を取得する制御情報取得部（３０３ｃ）と、上記制御情報に従って通信経路にて取得された上記画質情報に応じて、上記コンテンツの映像の画質を調整する画質調整部（２６ｃ）と、を備えている。
【０２８３】
上記の構成によれば、コンテンツの映像の画質に関する画質情報を取得するための制御情報を取得して、この制御情報に従って通信経路にて取得された上記画質情報に応じて上記コンテンツの映像の画質を調整する。よって、上記の構成によれば、画質情報に応じて画像処理を迅速に行うことができる。
【０２８４】
本発明の態様３２に係るテレビジョン受像機は、上記態様３１に記載の受信装置を含んでいる。よって、態様３１の受信装置と同様の作用効果を奏する。
【０２８５】
本発明の態様３３に係る映像信号伝送システム５ｃは、放送経路と通信経路とを併用したハイブリッドキャストに対応した受信装置（受信機２ｃ）にコンテンツを送信する送信装置（送信機１ｃ）と該コンテンツを受信する受信装置とを含む映像信号伝送システムであって、上記送信装置は、上記コンテンツの映像の画質に関する画質情報を取得するための制御情報を上記コンテンツと共にデジタル放送信号として上記受信装置に送信し、上記受信装置は、上記デジタル放送信号から取得した上記制御情報に従って上記画質情報を通信経路にて取得し、上記コンテンツの映像の画質を上記画質情報に応じて調整する。よって、態様２５の送信装置および態様３１の受信装置と同様の作用効果を奏する。
【０２８６】
本発明の各態様に係る送信装置、制御情報生成装置、および受信装置は、コンピュータによって実現してもよく、この場合には、コンピュータを上記送信装置、制御情報生成装置、または受信装置が備える各部として動作させることにより上記送信装置、制御情報生成装置、または受信装置をコンピュータにて実現させる制御プログラム、およびそれを記録したコンピュータ読み取り可能な記録媒体も、本発明の範疇に入る。
【０２８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２８８】
本発明は、コンテンツの送信機および受信機に利用することができる。
【符号の説明】
【０２８９】
１  送信機（制御情報生成装置、送信装置）
１５  送信部
１７  解像度情報取得部（画質情報取得部）
１８  解像度エンコード制御部（画質情報取得部）
１９  制御情報生成部
２  受信機（受信装置、テレビジョン受像機）
２６  画質調整部
３２  制御情報取得部
５  映像信号伝送システム
【図１】
2016031912.tif 000003
【図２】
2016031912.tif 000004
【図３】
2016031912.tif 000005
【図４】
2016031912.tif 000006
【図５】
2016031912.tif 000007
【図６】
2016031912.tif 000008
【図７】
2016031912.tif 000009
【図８】
2016031912.tif 000010
【図９】
2016031912.tif 000011
【図１０】
2016031912.tif 000012
【図１１】
2016031912.tif 000013
【図１２】
2016031912.tif 000014
【図１３】
2016031912.tif 000015
【図１４】
2016031912.tif 000016
【図１５】
2016031912.tif 000017
【図１６】
2016031912.tif 000018
【図１７】
2016031912.tif 000019
【図１８】
2016031912.tif 000020
【図１９】
2016031912.tif 000021
【図２０】
2016031912.tif 000022
【国際調査報告】
2016031912.tif 000023
2016031912.tif 000024
2016031912.tif 000025
2016031912.tif 000026